(57)【要約】【課題】  複数のＤＡＰが接続可能なクレードルと、メインルームとＺＯＮＥ２ルームとでオーディオ信号を再生可能なＡＶアンプとを備え、クレードルがデジタルオーディオ信号とアナログオーディオ信号との両方をＡＶアンプに出力する。【解決手段】  クレードル１は、ＵＳＢ端子Ｔ１とスイッチＳＷ３とを接続させるか、ＵＳＢ端子Ｔ１とＵＳＢ端子Ｔ７とを接続させるかを切換えるスイッチＳＷ１と、ＵＳＢ端子Ｔ４とスイッチＳＷ３とを接続させるか、ＵＳＢ端子Ｔ４とＵＳＢ端子Ｔ７とを接続させるかを切換えるスイッチＳＷ２と、スイッチＳＷ１とホストコントローラ３とを接続させるか、スイッチＳＷ２とホストコントローラ３とを接続させるかを切換えるスイッチＳＷ３と、アナログ音声入力端子Ｔ３とアナログ音声出力端子Ｔ９とを接続させるか、アナログ音声入力端子Ｔ６とアナログ音声出力端子Ｔ９とを接続させるかを切換えるスイッチＳＷ４とを有する。【選択図】図２
2012084199.tif 000002
【特許請求の範囲】
【請求項１】
コンピュータ、第１コンテンツ再生装置および第２コンテンツ再生装置が接続可能なクレードルと、前記クレードルと接続可能な増幅装置とを備え、
前記増幅装置が、
デジタル音声入力端子とアナログ音声入力端子とを含む複数の音声入力端子と、
第１ルームに配置される第１スピーカーに対してオーディオ信号を出力するための第１出力端子と、
第２ルームに配置される第２スピーカーに対してオーディオ信号を出力するための第２出力端子と、
複数の前記音声入力端子の中から、前記第１出力端子に出力すべきオーディオ信号が入力される音声入力端子を選択する第１セレクタと、
複数の前記音声入力端子の中から、前記第２出力端子に出力すべきオーディオ信号が入力される音声入力端子を選択する第２セレクタと、
前記第１セレクタが前記クレードルのデジタル音声出力端子が接続されているデジタル音声入力端子を選択するとき、前記第１セレクタが前記クレードルを選択したことを、前記クレードルに通知し、前記第２セレクタが前記クレードルのアナログ音声出力端子が接続されているアナログ音声入力端子を選択するとき、前記第２セレクタが前記クレードルを選択したことを、前記クレードルに通知するセレクタ通知手段とを有し、
前記クレードルが、
前記第１コンテンツ再生装置からデジタルオーディオ信号を受信する第１デジタル端子と、
前記第１コンテンツ再生装置からアナログオーディオ信号を受信する第１アナログ音声入力端子と、
前記第２コンテンツ再生装置からデジタルオーディオ信号を受信する第２デジタル端子と、
前記第２コンテンツ再生装置からアナログオーディオ信号を受信する第２アナログ音声入力端子と、
前記増幅装置にデジタルオーディオ信号を出力するデジタル音声出力端子と、
前記増幅装置にアナログオーディオ信号を出力するアナログ音声出力端子と、
前記コンピュータが接続可能な第３デジタル端子と、
前記第１デジタル端子と第３スイッチとを接続させるか、前記第１デジタル端子と前記第３デジタル端子とを接続させるかを切換える第１スイッチと、
前記第２デジタル端子と第３スイッチとを接続させるか、前記第２デジタル端子と前記第３デジタル端子とを接続させるかを切換える第２スイッチと、
前記第１スイッチと前記デジタル音声出力端子とを接続させるか、前記第２スイッチと前記デジタル音声出力端子とを接続させるかを切換える第３スイッチと、
前記第１アナログ音声入力端子と前記アナログ音声出力端子とを接続させるか、前記第２アナログ音声入力端子と前記アナログ音声出力端子とを接続させるかを切換える第４スイッチと、
前記セレクタ通知手段からの通知に基づいて、前記第１〜第４スイッチを切換え制御するスイッチ制御部とを有する、コンテンツ再生システム。
【請求項２】
請求項１に記載のコンテンツ再生システムにおける前記クレードルであって、
前記第１コンテンツ再生装置からデジタルオーディオ信号を受信する第１デジタル端子と、
前記第１コンテンツ再生装置からアナログオーディオ信号を受信する第１アナログ音声入力端子と、
前記第２コンテンツ再生装置からデジタルオーディオ信号を受信する第２デジタル端子と、
前記第２コンテンツ再生装置からアナログオーディオ信号を受信する第２アナログ音声入力端子と、
前記増幅装置にデジタルオーディオ信号を出力するデジタル音声出力端子と、
前記増幅装置にアナログオーディオ信号を出力するアナログ音声出力端子と、
前記コンピュータが接続可能な第３デジタル端子と、
前記第１デジタル端子と第３スイッチとを接続させるか、前記第１デジタル端子と前記第３デジタル端子とを接続させるかを切換える第１スイッチと、
前記第２デジタル端子と第３スイッチとを接続させるか、前記第２デジタル端子と前記第３デジタル端子とを接続させるかを切換える第２スイッチと、
前記第１スイッチと前記デジタル音声出力端子とを接続させるか、前記第２スイッチと前記デジタル音声出力端子とを接続させるかを切換える第３スイッチと、
前記第１アナログ音声入力端子と前記アナログ音声出力端子とを接続させるか、前記第２アナログ音声入力端子と前記アナログ音声出力端子とを接続させるかを切換える第４スイッチと、
前記セレクタ通知手段からの通知に基づいて、前記第１〜第４スイッチを切換え制御するスイッチ制御部とを有する、クレードル。
【請求項３】
前記第１セレクタが前記クレードルを選択したことを通知されたとき、
前記第１スイッチが前記第１デジタル端子と前記第３デジタル端子とを接続させている場合、前記スイッチ制御部が、前記第２スイッチに前記第２デジタル端子と前記第３スイッチとを接続させ、前記第３スイッチに前記第２スイッチと前記デジタル音声出力端子とを接続させることにより、前記第２コンテンツ再生装置からのデジタルオーディオ信号が前記増幅装置に出力される状態とし、
前記第２スイッチが前記第２デジタル端子と前記第３デジタル端子とを接続させている場合、前記スイッチ制御部が、前記第１スイッチに前記第１デジタル端子と前記第３スイッチとを接続させ、前記第３スイッチに前記第１スイッチと前記デジタル音声出力端子とを接続させることにより、前記第１コンテンツ再生装置からのデジタルオーディオ信号が前記増幅装置に出力される状態とする、請求項２に記載のクレードル。
【請求項４】
前記第１セレクタが前記クレードルを選択したことを通知されたとき、
前記第１スイッチが前記第１デジタル端子と前記第３スイッチとを接続させ、前記第２スイッチが前記第２デジタル端子と前記第３スイッチとを接続させ、前記第４スイッチが前記第１アナログ音声入力端子と前記アナログ音声出力端子とを接続させている場合、前記スイッチ制御部が、前記第３スイッチに前記第２スイッチと前記デジタル音声出力端子とを接続させることにより、前記第２コンテンツ再生装置からのデジタルオーディオ信号が前記増幅装置に出力される状態とし、
前記第１スイッチが前記第１デジタル端子と前記第３スイッチとを接続させ、前記第２スイッチが前記第２デジタル端子と前記第３スイッチとを接続させ、前記第４スイッチが前記第２アナログ音声入力端子と前記アナログ音声出力端子とを接続させている場合、前記スイッチ制御部が、前記第３スイッチに前記第１スイッチと前記デジタル音声出力端子とを接続させることにより、前記第１コンテンツ再生装置からのデジタルオーディオ信号が前記増幅装置に出力される状態とする、請求項２または３に記載のクレードル。
【請求項５】
前記第２セレクタが前記クレードルを選択したことを通知されたとき、
前記第１スイッチが前記第１デジタル端子と前記第３デジタル端子とを接続させている場合、前記スイッチ制御部が、前記第４スイッチに前記第２アナログ音声入力端子と前記アナログ音声出力端子とを接続させることにより、前記第２コンテンツ再生装置からのアナログオーディオ信号が前記増幅装置に出力される状態とし、
前記第２スイッチが前記第２デジタル端子と前記第３デジタル端子とを接続させている場合、前記スイッチ制御部が、前記第４スイッチに前記第１アナログ音声入力端子と前記アナログ音声出力端子とを接続させることにより、前記第１コンテンツ再生装置からのアナログオーディオ信号が前記増幅装置に出力される状態とする、請求項２〜４のいずれかに記載のクレードル。
【請求項６】
前記第２セレクタが前記クレードルを選択したことを通知されたとき、
前記第１スイッチが前記第１デジタル端子と前記第３スイッチとを接続させ、前記第２スイッチが前記第２デジタル端子と前記第３スイッチとを接続させ、前記第３スイッチが前記第１スイッチと前記デジタル音声出力端子とを接続させている場合、前記スイッチ制御部が、前記第４スイッチに前記第２アナログ音声入力端子と前記アナログ音声出力端子とを接続させることにより、前記第２コンテンツ再生装置からのアナログオーディオ信号が前記増幅装置に出力される状態とし、
前記第１スイッチが前記第１デジタル端子と前記第３スイッチとを接続させ、前記第２スイッチが前記第２デジタル端子と前記第３スイッチとを接続させ、前記第３スイッチが前記第２スイッチと前記デジタル音声出力端子とを接続させている場合、前記スイッチ制御部が、前記第４スイッチに前記第１アナログ音声入力端子と前記アナログ音声出力端子とを接続させることにより、前記第１コンテンツ再生装置からのアナログオーディオ信号が前記増幅装置に出力される状態とする、請求項２〜５のいずれかに記載のクレードル。
【請求項７】
前記第３スイッチと前記デジタル音声出力端子との間に接続されたホストコントローラと、
システムコントローラと、
前記システムコントローラが前記第１コンテンツ再生装置と通信するための第１制御端子と、
前記システムコントローラが前記第２コンテンツ再生装置と通信するための第２制御端子と、
前記第１制御端子と前記システムコントローラとを接続させるか、前記第２制御端子と前記システムコントローラとを接続させるかを切換える第５スイッチとをさらに有し、
前記ホストコントローラが前記第１コンテンツ再生装置と通信することによって、前記第１コンテンツ再生装置を充電させるとき、前記システムコントローラ又は前記コンピュータが前記第２コンテンツ再生装置と通信することによって、前記第２コンテンツ再生装置を充電させ、
前記システムコントローラが前記第１コンテンツ再生装置と通信することによって、前記第１コンテンツ再生装置を充電させるとき、前記ホストコントローラ又は前記コンピュータが前記第２コンテンツ再生装置と通信することによって、前記第２コンテンツ再生装置を充電させ、
前記コンピュータが前記第１コンテンツ再生装置と通信することによって、前記第１コンテンツ再生装置を充電させるとき、前記ホストコントローラ又は前記システムコントローラが前記第２コンテンツ再生装置と通信することによって、前記第２コンテンツ再生装置を充電させるよう、前記スイッチ制御部が前記各スイッチを切換え制御する、請求項２〜６のいずれかに記載のクレードル。
【請求項８】
第１コンテンツ再生装置および第２コンテンツ再生装置が接続可能なクレードルと、前記クレードルと接続可能な増幅装置とを備え、
前記増幅装置が、
デジタル音声入力端子とアナログ音声入力端子とを含む複数の音声入力端子と、
第１ルームに配置される第１スピーカーに対してオーディオ信号を出力するための第１出力端子と、
第２ルームに配置される第２スピーカーに対してオーディオ信号を出力するための第２出力端子と、
複数の前記音声入力端子の中から、前記第１出力端子に出力すべきオーディオ信号が入力される音声入力端子を選択する第１セレクタと、
複数の前記音声入力端子の中から、前記第２出力端子に出力すべきオーディオ信号が入力される音声入力端子を選択する第２セレクタと、
前記第１セレクタが前記クレードルのデジタル音声出力端子が接続されているデジタル音声入力端子を選択するとき、前記第１セレクタが前記クレードルを選択したことを、前記クレードルに通知し、前記第２セレクタが前記クレードルのアナログ音声出力端子が接続されているアナログ音声入力端子を選択するとき、前記第２セレクタが前記クレードルを選択したことを、前記クレードルに通知するセレクタ通知手段とを有し、
前記クレードルが、
前記第１コンテンツ再生装置からデジタルオーディオ信号を受信する第１デジタル端子と、
前記第１コンテンツ再生装置からアナログオーディオ信号を受信する第１アナログ音声入力端子と、
前記第２コンテンツ再生装置からデジタルオーディオ信号を受信する第２デジタル端子と、
前記第２コンテンツ再生装置からアナログオーディオ信号を受信する第２アナログ音声入力端子と、
前記増幅装置にデジタルオーディオ信号を出力するデジタル音声出力端子と、
前記増幅装置にアナログオーディオ信号を出力するアナログ音声出力端子と、
前記第１デジタル端子と前記デジタル音声出力端子とを接続させるか、前記第２デジタル端子と前記デジタル音声出力端子とを接続させるかを切換える第３スイッチと、
前記第１アナログ音声入力端子と前記アナログ音声出力端子とを接続させるか、前記第２アナログ音声入力端子と前記アナログ音声出力端子とを接続させるかを切換える第４スイッチと、
前記セレクタ通知手段からの通知に基づいて、前記第３、第４スイッチを切換え制御するスイッチ制御部とを有する、コンテンツ再生システム。
【請求項９】
請求項８に記載のコンテンツ再生システムにおける前記クレードルであって、
前記第１コンテンツ再生装置からデジタルオーディオ信号を受信する第１デジタル端子と、
前記第１コンテンツ再生装置からアナログオーディオ信号を受信する第１アナログ音声入力端子と、
前記第２コンテンツ再生装置からデジタルオーディオ信号を受信する第２デジタル端子と、
前記第２コンテンツ再生装置からアナログオーディオ信号を受信する第２アナログ音声入力端子と、
前記増幅装置にデジタルオーディオ信号を出力するデジタル音声出力端子と、
前記増幅装置にアナログオーディオ信号を出力するアナログ音声出力端子と、
前記第１デジタル端子と前記デジタル音声出力端子とを接続させるか、前記第２デジタル端子と前記デジタル音声出力端子とを接続させるかを切換える第３スイッチと、
前記第１アナログ音声入力端子と前記アナログ音声出力端子とを接続させるか、前記第２アナログ音声入力端子と前記アナログ音声出力端子とを接続させるかを切換える第４スイッチと、
前記セレクタ通知手段からの通知に基づいて、前記第３、第４スイッチを切換え制御するスイッチ制御部とを有する、クレードル。
【請求項１０】
請求項１または８に記載のコンテンツ再生システムにおける前記増幅装置であって、
デジタル音声入力端子とアナログ音声入力端子とを含む複数の音声入力端子と、
第１ルームに配置される第１スピーカーに対してオーディオ信号を出力するための第１出力端子と、
第２ルームに配置される第２スピーカーに対してオーディオ信号を出力するための第２出力端子と、
複数の前記音声入力端子の中から、前記第１出力端子に出力すべきオーディオ信号が入力される音声入力端子を選択する第１セレクタと、
複数の前記音声入力端子の中から、前記第２出力端子に出力すべきオーディオ信号が入力される音声入力端子を選択する第２セレクタと、
前記第１セレクタが前記クレードルのデジタル音声出力端子が接続されているデジタル音声入力端子を選択するとき、前記第１セレクタが前記クレードルを選択したことを、前記クレードルに通知し、前記第２セレクタが前記クレードルのアナログ音声出力端子が接続されているアナログ音声入力端子を選択するとき、前記第２セレクタが前記クレードルを選択したことを、前記クレードルに通知するセレクタ通知手段とを有する、増幅装置。
【発明の詳細な説明】
【技術分野】
【０００１】
本発明は、コンテンツ再生システム、クレードル及び増幅装置に関する。
【背景技術】
【０００２】
携帯型デジタルオーディオプレーヤ（以下、ＤＡＰという。)は、ＵＳＢ経由でクレードルに接続され、クレードルは、ＤＡＰから出力されるデジタルデータをクレードル内部のホストコントローラによってデジタルオーディオ信号に変換し、ＡＶアンプに出力する。本出願人は、特願２００９−２９３４５０号において、複数のＤＡＰを接続可能なクレードルを提案した。このクレードルにはＵＳＢ経由でＤＡＰ２、ＤＡＰ３を接続することができ、スイッチ１Ｅ、１Ｆ、１Ｇを切換えることによって、ホストコントローラと接続されるＤＡＰ２を選択するようにしている。ホストコントローラは高価であるので、ＤＡＰを２つ接続できるクレードルであっても、ホストコントローラは１つしか備えないことが一般的である。従って、クレードルは、同時に複数のＤＡＰのオーディオ信号をＡＶアンプに出力することができない。
【０００３】
一方、ＡＶアンプは、メインルーム（リビングルームなど）でオーディオを視聴するだけでなく、ＺＯＮＥ２ルーム（寝室など）でメインルームとは異なるオーディオを視聴できるように、２系統の入力セレクタ、増幅部および出力端子とを備えるものがある。ＡＶアンプは、ＤＳＰによるデジタル信号処理を実行する機能を有しているが、ＤＳＰは高価であるので、メインルーム用に１つしか備えず、ＺＯＮＥ２ルーム用には備えないことが一般的である。従って、メインルームに対してはデジタルオーディオ信号を再生することができるが、ＺＯＮＥ２ルームに対してはアナログオーディオ信号しか再生することができない。
【０００４】
従って、ＡＶアンプに、特願２００９−２９３４５０号に記載のＤＡＰを２つ接続可能なクレードルを接続したとしても、メインルームとＺＯＮＥ２ルームのそれぞれで異なるＤＡＰのオーディオ信号を再生することができない。すなわち、特願２００９−２９３４５０号に記載のクレードルは一方のＤＡＰが再生したデジタルオーディオ信号しかＡＶアンプに対して出力することができないので、ＡＶアンプはクレードルから受信したデジタルオーディオ信号をメインルームでしか再生することができず、ＺＯＮＥ２ルームでは再生することができない。
【０００５】
また、ＤＡＰは、ＰＣやクレードルにＵＳＢ経由で接続され、ＰＣやクレードルから充電用電圧が供給されることにより、バッテリを充電する。ＤＡＰの中には、ＵＳＢのデータラインＤ＋、Ｄ−を介してホストコントローラから充電コマンドが所定時間間隔で供給されているときに（つまり、ホストコントローラと通信しているときに）充電用電圧によりバッテリを充電し、ホストコントローラから充電コマンドが所定時間間隔で供給されていないとき（つまり、ホストコントローラと通信していないときに）にバッテリを充電しないものがある。従って、ＰＣの電源がオフ状態にされると、充電用電圧はＰＣからＤＡＰに供給されているものの、ＰＣからＤＡＰに充電コマンドが供給されなくなるので、ＤＡＰはバッテリを充電できないという問題がある。
【先行技術文献】
【特許文献】
【０００６】
【特許文献１】特開２００６−２４４６０７号公報
【特許文献２】特開２００７−６８３３３号公報
【特許文献３】特開２００６−２４６２１７号公報
【特許文献４】特開２００６−４４８９号公報
【発明の概要】
【発明が解決しようとする課題】
【０００７】
本発明の目的は、複数のコンテンツ再生装置が接続可能なクレードルと、第１ルームと第２ルームとでオーディオ信号を再生可能な増幅装置とを備え、クレードルがデジタルオーディオ信号とアナログオーディオ信号との両方を増幅装置に出力することができるコンテンツ再生システムを提供することである。
【課題を解決するための手段】
【０００８】
本発明の好ましい実施形態によるコンテンツ再生システムは、コンピュータ、第１コンテンツ再生装置および第２コンテンツ再生装置が接続可能なクレードルと、前記クレードルと接続可能な増幅装置とを備え、前記増幅装置が、デジタル音声入力端子とアナログ音声入力端子とを含む複数の音声入力端子と、第１ルームに配置される第１スピーカーに対してオーディオ信号を出力するための第１出力端子と、第２ルームに配置される第２スピーカーに対してオーディオ信号を出力するための第２出力端子と、複数の前記音声入力端子の中から、前記第１出力端子に出力すべきオーディオ信号が入力される音声入力端子を選択する第１セレクタと、複数の前記音声入力端子の中から、前記第２出力端子に出力すべきオーディオ信号が入力される音声入力端子を選択する第２セレクタと、前記第１セレクタが前記クレードルのデジタル音声出力端子が接続されているデジタル音声入力端子を選択するとき、前記第１セレクタが前記クレードルを選択したことを、前記クレードルに通知し、前記第２セレクタが前記クレードルのアナログ音声出力端子が接続されているアナログ音声入力端子を選択するとき、前記第２セレクタが前記クレードルを選択したことを、前記クレードルに通知するセレクタ通知手段とを有し、前記クレードルが、前記第１コンテンツ再生装置からデジタルオーディオ信号を受信する第１デジタル端子と、前記第１コンテンツ再生装置からアナログオーディオ信号を受信する第１アナログ音声入力端子と、前記第２コンテンツ再生装置からデジタルオーディオ信号を受信する第２デジタル端子と、前記第２コンテンツ再生装置からアナログオーディオ信号を受信する第２アナログ音声入力端子と、前記増幅装置にデジタルオーディオ信号を出力するデジタル音声出力端子と、前記増幅装置にアナログオーディオ信号を出力するアナログ音声出力端子と、前記コンピュータが接続可能な第３デジタル端子と、前記第１デジタル端子と第３スイッチとを接続させるか、前記第１デジタル端子と前記第３デジタル端子とを接続させるかを切換える第１スイッチと、前記第２デジタル端子と第３スイッチとを接続させるか、前記第２デジタル端子と前記第３デジタル端子とを接続させるかを切換える第２スイッチと、前記第１スイッチと前記デジタル音声出力端子とを接続させるか、前記第２スイッチと前記デジタル音声出力端子とを接続させるかを切換える第３スイッチと、前記第１アナログ音声入力端子と前記アナログ音声出力端子とを接続させるか、前記第２アナログ音声入力端子と前記アナログ音声出力端子とを接続させるかを切換える第４スイッチと、前記セレクタ通知手段からの通知に基づいて、前記第１〜第４スイッチを切換え制御するスイッチ制御部とを有する。
【０００９】
増幅装置は、第１セレクタがクレードルのデジタル音声出力端子が接続されているデジタル音声入力端子を選択するとき、第１セレクタが前記クレードルを選択したことを、クレードルに通知する。クレードルは、当該通知に応答して、第１コンテンツ再生装置または第２コンテンツ再生装置からのデジタルオーディオ信号が増幅装置に出力されるように、第１〜第４スイッチを切換え制御する。増幅装置は、第２セレクタがクレードルのアナログ音声出力端子が接続されているアナログ音声入力端子を選択するとき、第２セレクタがクレードルを選択したことを、クレードルに通知する。クレードルは、当該通知に応答して、第１コンテンツ再生装置または第２コンテンツ再生装置からのアナログオーディオ信号が増幅装置に出力されるように、第１〜第４スイッチを切換え制御する。従って、クレードルはデジタルオーディオ信号とアナログオーディオ信号との両方を増幅装置に出力することができる。
【００１０】
好ましい実施形態においては、前記第１セレクタが前記クレードルを選択したことを通知されたとき、前記第１スイッチが前記第１デジタル端子と前記第３デジタル端子とを接続させている場合、前記スイッチ制御部が、前記第２スイッチに前記第２デジタル端子と前記第３スイッチとを接続させ、前記第３スイッチに前記第２スイッチと前記デジタル音声出力端子とを接続させることにより、前記第２コンテンツ再生装置からのデジタルオーディオ信号が前記増幅装置に出力される状態とし、前記第２スイッチが前記第２デジタル端子と前記第３デジタル端子とを接続させている場合、前記スイッチ制御部が、前記第１スイッチに前記第１デジタル端子と前記第３スイッチとを接続させ、前記第３スイッチに前記第１スイッチと前記デジタル音声出力端子とを接続させることにより、前記第１コンテンツ再生装置からのデジタルオーディオ信号が前記増幅装置に出力される状態とする。
【００１１】
第１コンテンツ再生装置がコンピュータと接続されているとき、第１コンテンツ再生装置からのデジタルオーディオ信号を増幅装置に出力することができない。従って、第２コンテンツ再生装置からのデジタルオーディオ信号が増幅装置に出力されるように第１〜第４スイッチが切換え制御される。（なお、アナログオーディオ信号も同時に増幅装置に出力する場合には、第２コンテンツ再生装置からのアナログオーディオ信号も増幅装置に出力されるように第１〜第４スイッチが切換え制御される。）第２コンテンツ再生装置がコンピュータと接続されているとき、第２コンテンツ再生装置からのデジタルオーディオ信号を増幅装置に出力することができない。従って、第１コンテンツ再生装置からのデジタルオーディオ信号が増幅装置に出力されるように第１〜第４スイッチが切換え制御される。（なお、アナログオーディオ信号も同時に増幅装置に出力する場合には、第１コンテンツ再生装置からのアナログオーディオ信号も増幅装置に出力されるように第１〜第４スイッチが切換え制御される。）
【００１２】
好ましい実施形態においては、前記第１セレクタが前記クレードルを選択したことを通知されたとき、前記第１スイッチが前記第１デジタル端子と前記第３スイッチとを接続させ、前記第２スイッチが前記第２デジタル端子と前記第３スイッチとを接続させ、前記第４スイッチが前記第１アナログ音声入力端子と前記アナログ音声出力端子とを接続させている場合、前記スイッチ制御部が、前記第３スイッチに前記第２スイッチと前記デジタル音声出力端子とを接続させることにより、前記第２コンテンツ再生装置からのデジタルオーディオ信号が前記増幅装置に出力される状態とし、前記第１スイッチが前記第１デジタル端子と前記第３スイッチとを接続させ、前記第２スイッチが前記第２デジタル端子と前記第３スイッチとを接続させ、前記第４スイッチが前記第２アナログ音声入力端子と前記アナログ音声出力端子とを接続させている場合、前記スイッチ制御部が、前記第３スイッチに前記第１スイッチと前記デジタル音声出力端子とを接続させることにより、前記第１コンテンツ再生装置からのデジタルオーディオ信号が前記増幅装置に出力される状態とする。
【００１３】
第１コンテンツ再生装置および第２コンテンツ再生装置がコンピュータと接続されておらず、第１コンテンツ再生装置がアナログオーディオ信号を増幅装置に出力している場合、第２コンテンツ再生装置からのデジタルオーディオ信号が増幅装置に出力されるように第１〜第４スイッチが切換え制御される。第１コンテンツ再生装置および第２コンテンツ再生装置がコンピュータと接続されておらず、第２コンテンツ再生装置がアナログオーディオ信号を増幅装置に出力している場合、第１コンテンツ再生装置からのデジタルオーディオ信号が増幅装置に出力されるように第１〜第４スイッチが切換え制御される。この場合、増幅装置は、第１ルームと第２ルームとで異なるコンテンツ再生装置からのオーディオ信号を再生することができる。
【００１４】
好ましい実施形態においては、前記第２セレクタが前記クレードルを選択したことを通知されたとき、前記第１スイッチが前記第１デジタル端子と前記第３デジタル端子とを接続させている場合、前記スイッチ制御部が、前記第４スイッチに前記第２アナログ音声入力端子と前記アナログ音声出力端子とを接続させることにより、前記第２コンテンツ再生装置からのアナログオーディオ信号が前記増幅装置に出力される状態とし、前記第２スイッチが前記第２デジタル端子と前記第３デジタル端子とを接続させている場合、前記スイッチ制御部が、前記第４スイッチに前記第１アナログ音声入力端子と前記アナログ音声出力端子とを接続させることにより、前記第１コンテンツ再生装置からのアナログオーディオ信号が前記増幅装置に出力される状態とする。
【００１５】
第１コンテンツ再生装置がコンピュータと接続されているとき、第１コンテンツ再生装置からのアナログオーディオ信号を増幅装置に出力することができない。従って、第２コンテンツ再生装置からのアナログオーディオ信号が増幅装置に出力されるように第１〜第４スイッチが切換え制御される。（なお、デジタルオーディオ信号も同時に増幅装置に出力する場合には、第２コンテンツ再生装置からのデジタルオーディオ信号も増幅装置に出力されるように第１〜第４スイッチが切換え制御される。）第２コンテンツ再生装置がコンピュータと接続されているとき、第２コンテンツ再生装置からのアナログオーディオ信号を増幅装置に出力することができない。従って、第１コンテンツ再生装置からのアナログオーディオ信号が増幅装置に出力されるように第１〜第４スイッチが切換え制御される。（なお、デジタルオーディオ信号も同時に増幅装置に出力する場合には、第１コンテンツ再生装置からのデジタルオーディオ信号も増幅装置に出力されるように第１〜第４スイッチが切換え制御される。）
【００１６】
好ましい実施形態においては、前記第２セレクタが前記クレードルを選択したことを通知されたとき、前記第１スイッチが前記第１デジタル端子と前記第３スイッチとを接続させ、前記第２スイッチが前記第２デジタル端子と前記第３スイッチとを接続させ、前記第３スイッチが前記第１スイッチと前記デジタル音声出力端子とを接続させている場合、前記スイッチ制御部が、前記第４スイッチに前記第２アナログ音声入力端子と前記アナログ音声出力端子とを接続させることにより、前記第２コンテンツ再生装置からのアナログオーディオ信号が前記増幅装置に出力される状態とし、前記第１スイッチが前記第１デジタル端子と前記第３スイッチとを接続させ、前記第２スイッチが前記第２デジタル端子と前記第３スイッチとを接続させ、前記第３スイッチが前記第２スイッチと前記デジタル音声出力端子とを接続させている場合、前記スイッチ制御部が、前記第４スイッチに前記第１アナログ音声入力端子と前記アナログ音声出力端子とを接続させることにより、前記第１コンテンツ再生装置からのアナログオーディオ信号が前記増幅装置に出力される状態とする。
【００１７】
第１コンテンツ再生装置および第２コンテンツ再生装置がコンピュータと接続されておらず、第１コンテンツ再生装置がデジタルオーディオ信号を増幅装置に出力している場合、第２コンテンツ再生装置からのアナログオーディオ信号が増幅装置に出力されるように第１〜第４スイッチが切換え制御される。第１コンテンツ再生装置および第２コンテンツ再生装置がコンピュータと接続されておらず、第２コンテンツ再生装置がデジタルオーディオ信号を増幅装置に出力している場合、第１コンテンツ再生装置からのアナログオーディオ信号が増幅装置に出力されるように第１〜第４スイッチが切換え制御される。この場合、増幅装置は、第１ルームと第２ルームとで異なるコンテンツ再生装置からのオーディオ信号を再生することができる。
【００１８】
好ましい実施形態においては、前記第３スイッチと前記デジタル音声出力端子との間に接続されたホストコントローラと、システムコントローラと、前記システムコントローラが前記第１コンテンツ再生装置と通信するための第１制御端子と、前記システムコントローラが前記第２コンテンツ再生装置と通信するための第２制御端子と、前記第１制御端子と前記システムコントローラとを接続させるか、前記第２制御端子と前記システムコントローラとを接続させるかを切換える第５スイッチとをさらに有し、前記ホストコントローラが前記第１コンテンツ再生装置と通信することによって、前記第１コンテンツ再生装置を充電させるとき、前記システムコントローラ又は前記コンピュータが前記第２コンテンツ再生装置と通信することによって、前記第２コンテンツ再生装置を充電させ、前記システムコントローラが前記第１コンテンツ再生装置と通信することによって、前記第１コンテンツ再生装置を充電させるとき、前記ホストコントローラ又は前記コンピュータが前記第２コンテンツ再生装置と通信することによって、前記第２コンテンツ再生装置を充電させ、前記コンピュータが前記第１コンテンツ再生装置と通信することによって、前記第１コンテンツ再生装置を充電させるとき、前記ホストコントローラ又は前記システムコントローラが前記第２コンテンツ再生装置と通信することによって、前記第２コンテンツ再生装置を充電させるよう、前記スイッチ制御部が前記各スイッチを切換え制御する。
【００１９】
この場合、第１コンテンツ再生装置及び第２コンテンツ再生装置の両方を同時に充電させることができる。例えば、上記のように、第１コンテンツ再生装置および第２コンテンツ再生装置がコンピュータと接続されておらず、第１コンテンツ再生装置がアナログオーディオ信号を増幅装置に出力している場合、第２コンテンツ再生装置からのデジタルオーディオ信号が増幅装置に出力されるように第１〜第４スイッチが切換え制御される。この場合、第１ルームと第２ルームとで異なるコンテンツ再生装置からのオーディオ信号を再生することができるという効果に加えて、システムコントローラが第１コンテンツ再生装置と通信し、第１コンテンツ再生装置を充電させ、ホストコントローラが第２コンテンツ再生装置と通信し、第２コンテンツ再生装置を充電させることができるという効果が得られる。
【００２０】
本発明の別の好ましい実施形態によるコンテンツ再生システムは、第１コンテンツ再生装置および第２コンテンツ再生装置が接続可能なクレードルと、前記クレードルと接続可能な増幅装置とを備え、前記増幅装置が、デジタル音声入力端子とアナログ音声入力端子とを含む複数の音声入力端子と、第１ルームに配置される第１スピーカーに対してオーディオ信号を出力するための第１出力端子と、第２ルームに配置される第２スピーカーに対してオーディオ信号を出力するための第２出力端子と、複数の前記音声入力端子の中から、前記第１出力端子に出力すべきオーディオ信号が入力される音声入力端子を選択する第１セレクタと、複数の前記音声入力端子の中から、前記第２出力端子に出力すべきオーディオ信号が入力される音声入力端子を選択する第２セレクタと、前記第１セレクタが前記クレードルのデジタル音声出力端子が接続されているデジタル音声入力端子を選択するとき、前記第１セレクタが前記クレードルを選択したことを、前記クレードルに通知し、前記第２セレクタが前記クレードルのアナログ音声出力端子が接続されているアナログ音声入力端子を選択するとき、前記第２セレクタが前記クレードルを選択したことを、前記クレードルに通知するセレクタ通知手段とを有し、前記クレードルが、前記第１コンテンツ再生装置からデジタルオーディオ信号を受信する第１デジタル端子と、前記第１コンテンツ再生装置からアナログオーディオ信号を受信する第１アナログ音声入力端子と、前記第２コンテンツ再生装置からデジタルオーディオ信号を受信する第２デジタル端子と、前記第２コンテンツ再生装置からアナログオーディオ信号を受信する第２アナログ音声入力端子と、前記増幅装置にデジタルオーディオ信号を出力するデジタル音声出力端子と、前記増幅装置にアナログオーディオ信号を出力するアナログ音声出力端子と、前記第１デジタル端子と前記デジタル音声出力端子とを接続させるか、前記第２デジタル端子と前記デジタル音声出力端子とを接続させるかを切換える第３スイッチと、前記第１アナログ音声入力端子と前記アナログ音声出力端子とを接続させるか、前記第２アナログ音声入力端子と前記アナログ音声出力端子とを接続させるかを切換える第４スイッチと、前記セレクタ通知手段からの通知に基づいて、前記第３、第４スイッチを切換え制御するスイッチ制御部とを有する。
【００２１】
増幅装置は、第１セレクタがクレードルのデジタル音声出力端子が接続されているデジタル音声入力端子を選択するとき、第１セレクタが前記クレードルを選択したことを、クレードルに通知する。クレードルは、当該通知に応答して、第１コンテンツ再生装置または第２コンテンツ再生装置からのデジタルオーディオ信号が増幅装置に出力されるように、第３、第４スイッチを切換え制御する。増幅装置は、第２セレクタがクレードルのアナログ音声出力端子が接続されているアナログ音声入力端子を選択するとき、第２セレクタがクレードルを選択したことを、クレードルに通知する。クレードルは、当該通知に応答して、第１コンテンツ再生装置または第２コンテンツ再生装置からのアナログオーディオ信号が増幅装置に出力されるように、第３、第４スイッチを切換え制御する。従って、クレードルはデジタルオーディオ信号とアナログオーディオ信号との両方を増幅装置に出力することができる。
【発明の効果】
【００２２】
複数のコンテンツ再生装置が接続可能なクレードルと、第１ルームと第２ルームとでオーディオ信号を再生可能な増幅装置とを備え、クレードルがデジタルオーディオ信号とアナログオーディオ信号との両方を増幅装置に出力することができるコンテンツ再生システムを提供することができる。
【図面の簡単な説明】
【００２３】
【図１】本発明のクレードル１およびＡＶアンプ４０等を示すブロック図である。
【図２】クレードル１等のハードウェア構成を示す概略ブロック図である。
【図３】ＡＶアンプ４０のハードウェア構成を示す概略ブロック図である。
【図４】クレードル１のスイッチＳＷ１〜ＳＷ５の切換え状態を示す表示である。
【図５】ＡＶアンプ４０の処理を示すフローチャートである。
【図６】クレードル１の処理を示すフローチャートである。
【図７】クレードル１の処理を示すフローチャートである。
【図８】クレードル１の処理を示すフローチャートである。
【図９】別の実施形態によるクレードル２００等のハードウェア構成を示す概略ブロック図である。
【図１０】クレードル２００のスイッチＳＷ１〜ＳＷ５の切換え状態を示す表示である。
【図１１】クレードル２００の処理を示すフローチャートである。
【図１２】クレードル２００の処理を示すフローチャートである。
【発明を実施するための形態】
【００２４】
以下、本発明の好ましい実施形態によるコンテンツ再生システムついて、図面を参照して具体的に説明するが、本発明はこれらの実施形態には限定されない。図１は、本実施形態によるクレードル１、携帯型コンテンツ再生装置（以下、ＤＡＰ(Digital Audio Player)という。）２０，３０、増幅装置（以下、ＡＶアンプという。）４０、コンピュータ（以下、ＰＣという。）６０、およびリモコン送信機７０を示す図である。クレードル１には、ＵＳＢ（Universal
Serial Bus）等の任意の通信ラインと、アナログオーディオケーブルと、通信バスとを介してＤＡＰ２０、３０が接続可能である。また、クレードル１には、ＵＳＢ等を介して、ＰＣ６０が接続可能である。なお、ＵＳＢの代わりにＩＥＥＥ１３９４やＨＤＭＩ等が採用されてもよい。クレードル１は、デジタルオーディオケーブル、アナログオーディオケーブル及び通信バスを介してＡＶアンプ４０に接続可能である。また、３つ以上のＤＡＰがクレードル１に接続可能でもよい。
【００２５】
クレードル１は、ＤＡＰ２０，３０に直流電源電圧を供給することにより、ＤＡＰ２０，３０にバッテリを充電させる。ＤＡＰ２０，３０は、ホストコントローラ等のコントローラと通信しているときに（例えば、ホストコントローラからＵＳＢを介して充電コマンドを所定時間間隔で受信しているときに）バッテリに充電を実行し、ホストコントローラと通信していないときに（例えば、ホストコントローラからＵＳＢを介して充電コマンドを所定時間間隔で受信していないときに）バッテリに充電を実行しない。従って、クレードル１は、ＤＡＰ２０，３０を継続的に充電するために、ホストコントローラからＤＡＰ２０，３０に充電コマンドを所定時間間隔で送信し続けなければならない。
【００２６】
ＤＡＰ２０，３０は、各々が内蔵するＨＤＤやフラッシュメモリ等の記憶媒体に記録されているオーディオファイルを再生（例えばデコード）し、オーディオ信号をＵＳＢ又はアナログオーディオケーブル経由でクレードル１に送信する。クレードル１は、ＤＡＰ２０，３０から受信したオーディオ信号をＡＶアンプ４０に送信する。ＡＶアンプ４０はクレードル１から受信したオーディオ信号を再生（例えば、ＤＡ変換および／または増幅）し、外部に接続された図示しないスピーカーから音声を出力する。ＰＣ６０は、クレードル１を介してＤＡＰ２０又は３０とリンクし、ＰＣのＨＤＤに記録されているオーディオファイルをクレードル１を介してＤＡＰ２０又は３０に転送する。ＤＡＰ２０又は３０は、転送されたオーディオファイルを自身のＨＤＤに記録する（この処理を一般的に同期（シンク）と呼ぶ）。
【００２７】
ＡＶアンプ４０は、ユーザ操作に応じてリモコン送信機７０からリモコン信号を受信すると、クレードル１に制御信号や通知（例えば、セレクタがクレードルを選択したことを示す通知）を送信する。クレードル１は、ＡＶアンプ４０から制御信号や通知を受信すると、後述するスイッチＳＷ１〜ＳＷ５を切換え制御すると共に、ＤＡＰ２０又は３０にオーディオファイルを再生開始する指令を送信する。
【００２８】
図２は、クレードル１等のハードウェア構成を示す概略ブロック図である。クレードル１は、マイコン等の制御部（システムコントローラ、スイッチ制御部）２と、ホストコントローラ３と、電源部４と、スイッチＳＷ１〜ＳＷ５と、ＵＳＢ端子（デジタル端子）Ｔ１、Ｔ４、Ｔ７と、制御信号入出力端子Ｔ２、Ｔ５、Ｔ１０と、アナログ音声入力端子Ｔ３、Ｔ６と、デジタル音声出力端子Ｔ８と、アナログ音声出力端子Ｔ９とを備える。
【００２９】
ＵＳＢ端子Ｔ１は、ＵＳＢケーブルを介して、ＤＡＰ２０のＵＳＢ端子が接続可能である。ＵＳＢ端子Ｔ１はスイッチＳＷ１に接続されている。ＵＳＢ端子Ｔ１は、ＤＡＰ２０からメインルーム再生用のデジタルオーディオ信号を受信する端子である。また、ＵＳＢ端子Ｔ１は、ホストコントローラ３やＰＣ６０のホストコントローラ６１がＤＡＰ２０と通信するための端子である。制御信号入出力端子Ｔ２は、通信バスを介してＤＡＰ２０の制御信号入出力端子が接続可能である。制御信号入出力端子Ｔ２は、スイッチＳＷ５に接続されている。制御信号入出力端子Ｔ２は、マイコン２がＤＡＰ２０と通信するための端子である。アナログ音声入力端子Ｔ３は、アナログ音声ケーブルを介してＤＡＰ２０のアナログ音声出力端子が接続可能である。アナログ音声入力端子Ｔ３は、スイッチＳＷ４に接続されている。アナログ音声入力端子Ｔ３は、ＤＡＰ２０からＺＯＮＥ２ルーム再生用のアナログオーディオ信号を受信する端子である。
【００３０】
ＵＳＢ端子Ｔ４は、ＵＳＢケーブルを介して、ＤＡＰ３０のＵＳＢ端子が接続可能である。ＵＳＢ端子Ｔ４は、スイッチＳＷ２に接続されている。ＵＳＢ端子Ｔ４は、ＤＡＰ３０からメインルーム再生用のデジタルオーディオ信号を受信する端子である。また、ＵＳＢ端子Ｔ４は、ホストコントローラ３やＰＣ６０のホストコントローラ６１がＤＡＰ３０と通信するための端子である。制御信号入出力端子Ｔ５は、通信バスを介してＤＡＰ３０の制御信号入出力端子が接続可能である。制御信号入出力端子Ｔ５は、スイッチＳＷ５に接続されている。制御信号入出力端子Ｔ５は、マイコン２がＤＡＰ３０と通信するための端子である。アナログ音声入力端子Ｔ６は、アナログ音声ケーブルを介してＤＡＰ３０のアナログ音声出力端子が接続可能である。アナログ音声入力端子Ｔ６は、スイッチＳＷ４に接続されている。アナログ音声入力端子Ｔ６は、ＤＡＰ３０からＺＯＮＥ２ルーム再生用のアナログオーディオ信号を受信する端子である。
【００３１】
ＵＳＢ端子Ｔ７は、ＵＳＢケーブルを介して、ＰＣ６０のＵＳＢ端子が接続可能である。ＵＳＢ端子Ｔ７は、スイッチＳＷ１、ＳＷ２に接続されている。なお、ＤＡＰ２０、３０を同時にＰＣ６０にリンクさせる場合には、ＵＳＢ端子Ｔ７と、スイッチＳＷ１、ＳＷ２との間にＵＳＢハブが設けられるとよい。
【００３２】
デジタル音声出力端子Ｔ８は、デジタル音声ケーブルを介して、ＡＶアンプ４０のデジタル音声入力端子が接続可能である。デジタル音声出力端子Ｔ８は、ホストコントローラ３に接続されている。デジタル音声出力端子Ｔ８は、メインルーム再生用のデジタルオーディオ信号をＡＶアンプ４０に出力するための端子である。アナログ音声出力端子Ｔ９は、アナログ音声ケーブルを介して、ＡＶアンプ４０のアナログ音声入力端子が接続可能である。アナログ音声出力端子Ｔ９は、スイッチＳＷ４に接続されている。アナログ音声出力端子Ｔ９は、ＺＯＮＥ２ルーム再生用のアナログオーディオ信号をＡＶアンプ４０に出力するための端子である。制御信号入出力端子Ｔ１０は、通信バスを介してＡＶアンプ４０の制御信号入出力端子が接続可能である。制御信号入出力端子Ｔ１０は、マイコン２に接続されている。
【００３３】
マイコン２は、スイッチＳＷ５と、制御信号入出力端子Ｔ１０とに接続されている。マイコン２は、図示しないメモリに格納されたプログラムに基づいてクレードル１全体を制御する。マイコン２は、ＡＶアンプ４０から送信された通知に応じて、スイッチＳＷ１〜ＳＷ５を切り換え制御する。マイコン２は、図示しないメモリにおいて、ＤＡＰ２０、３０の再生状態およびＰＣ６０とのリンク状態（すなわち、スイッチＳＷ１〜ＳＷ５の選択状態）を記憶、管理する。
【００３４】
マイコン２は、ＵＳＢ経由でＤＡＰ２０と通信し、ＤＡＰ２０を制御する。マイコン２は、ＤＡＰ２０に充電コマンドを所定時間間隔で送信し、ＤＡＰ２０にバッテリを充電させる。マイコン２は、ＵＳＢ経由でＤＡＰ３０と通信し、ＤＡＰ３０を制御する。マイコン２は、ＤＡＰ３０に充電コマンドを所定時間間隔で送信し、ＤＡＰ３０にバッテリを充電させる。
【００３５】
ホストコントローラ３は、ＵＳＢ経由でＤＡＰ２０と通信し、ＤＡＰ２０を制御する。ホストコントローラ３は、ＤＡＰ２０に充電コマンドを所定時間間隔で送信し、ＤＡＰ２０にバッテリを充電させる。ホストコントローラ３は、ＵＳＢ経由でＤＡＰ３０と通信し、ＤＡＰ３０を制御する。ホストコントローラ３は、ＤＡＰ３０に充電コマンドを所定時間間隔で送信し、ＤＡＰ３０にバッテリを充電させる。
【００３６】
ホストコントローラ３は、スイッチＳＷ３と、デジタル音声出力端子Ｔ８との間に接続されている。ホストコントローラ３は、マイコン２からの制御信号をＤＡＰ２０に送信し、ＤＡＰ２０を制御する。ホストコントローラ３は、ＤＡＰ２０からデジタルオーディオ信号を受信し、所定規格のデジタルオーディオ信号に変換し、デジタル音声出力端子Ｔ８を介してＡＶアンプ４０に供給する。ホストコントローラ３は、マイコン２からの制御信号をＤＡＰ３０に送信し、ＤＡＰ３０を制御する。ホストコントローラ３は、ＤＡＰ３０からデジタルオーディオ信号を受信し、所定規格のデジタルオーディオ信号に変換し、デジタル音声出力端子Ｔ８を介してＡＶアンプ４０に供給する。
【００３７】
スイッチＳＷ１は、ＵＳＢ端子Ｔ１とスイッチＳＷ３とを接続させるか、ＵＳＢ端子Ｔ１とＵＳＢ端子Ｔ７とを接続させるかを、マイコン２からの指示に応じて切換える。スイッチＳＷ２は、ＵＳＢ端子Ｔ４とスイッチＳＷ３とを接続させるか、ＵＳＢ端子Ｔ４とＵＳＢ端子Ｔ７とを接続させるかを、マイコン２からの指示に応じて切換える。スイッチＳＷ３は、スイッチＳＷ１とホストコントローラ３（つまり、デジタル音声出力端子Ｔ８）とを接続させるか、スイッチＳＷ２とホストコントローラ３（つまり、デジタル音声出力端子Ｔ８）とを接続させるかを、マイコン２からの指示に応じて切換える。スイッチＳＷ４は、アナログ音声入力端子Ｔ３とアナログ音声出力端子Ｔ９とを接続させるか、アナログ音声入力端子Ｔ６とアナログ音声出力端子Ｔ９とを接続させるかを、マイコン２の指示に応じて切換える。スイッチＳＷ５は、制御信号入出力端子Ｔ２とマイコン２とを接続させるか、制御信号入出力端子Ｔ５とマイコン２とを接続させるかを、マイコン２からの指示に応じて切換える。
【００３８】
電源部４は、図示しない電源コネクタから商用交流電源が供給され、商用交流電源から直流電源電圧を生成し、クレードル１の各部に供給し、かつ、ＵＳＢ端子Ｔ１を介してＤＡＰ２０に供給する。ＤＡＰ２０に供給された直流電源電圧は、ＤＡＰ２０がバッテリを充電するために使用される。また、電源部４は、直流電源電圧を、ＵＳＢ端子Ｔ４を介してＤＡＰ３０に供給する。ＤＡＰ３０に供給された直流電源電圧は、ＤＡＰ３０がバッテリを充電するために使用される。
【００３９】
マイコン２は、制御信号入出力端子Ｔ１０を介して、ＡＶアンプ４０から通知を受信する。マイコン２は、メインセレクタがクレードルを選択したことを、ＡＶアンプ４０の制御部４１から通知されると、ＤＡＰ２０又はＤＡＰ３０からのデジタルオーディオ信号をＡＶアンプ４０に供給するようスイッチＳＷ１〜ＳＷ５を切換え制御する。ＤＡＰ２０からのデジタルオーディオ信号をＡＶアンプ４０に供給するか、ＤＡＰ３０からのデジタルオーディオ信号をＡＶアンプ４０に供給するかは、ＤＡＰ２０、３０の再生状態やＰＣ６０とのリンク状態に応じて選択される。
【００４０】
マイコン２は、ＺＯＮＥ２セレクタがクレードルを選択したことを、ＡＶアンプ４０の制御部４１から通知されると、ＤＡＰ２０又はＤＡＰ３０からのアナログオーディオ信号をＡＶアンプ４０に供給するようスイッチＳＷ１〜ＳＷ５を切換え制御する。ＤＡＰ２０からのアナログオーディオ信号をＡＶアンプ４０に供給するか、ＤＡＰ３０からのアナログオーディオ信号をＡＶアンプ４０に供給するかは、ＤＡＰ２０、３０のそのときの再生状態やＰＣ６０とのリンク状態に応じて選択される。
【００４１】
ＤＡＰ２０は、ＨＤＤ２１および再生部２２等を備える。再生部２２は、ＨＤＤ２１に記録されているオーディオファイルを再生し、クレードル１にオーディオ信号を出力する。ＤＡＰ２０は、同一のオーディオファイルに基づいて、デジタルオーディオ信号およびアナログオーディオ信号の両方を同時にクレードル１に出力してもよく、一方のみをクレードル１に出力してもよい。デジタルオーディオ信号はＵＳＢ経由でクレードル１に出力され、アナログオーディオ信号はアナログ音声ケーブル経由でクレードル１に出力される。ＤＡＰ２０は、通信バスを介してクレードル１のマイコン２と通信し、ＵＳＢを介してクレードル１のホストコントローラ３と通信する。
【００４２】
ＤＡＰ３０は、ＨＤＤ３１および再生部３２等を備える。再生部３２は、ＨＤＤ３１に記録されているオーディオファイルを再生し、クレードル１にオーディオ信号を出力する。ＤＡＰ３０は、同一のオーディオファイルに基づいて、デジタルオーディオ信号およびアナログオーディオ信号の両方を同時にクレードル１に出力してもよく、一方のみをクレードル１に出力してもよい。デジタルオーディオ信号はＵＳＢ経由でクレードル１に出力され、アナログオーディオ信号はアナログ音声ケーブル経由でクレードル１に出力される。ＤＡＰ３０は、通信バスを介してクレードル１のマイコン２と通信し、ＵＳＢを介してクレードル１のホストコントローラ３と通信する。
【００４３】
図３は、ＡＶアンプ４０のハードウェア構成を示す概略ブロック図である。ＡＶアンプ４０は、デジタル音声入力端子Ｔ４１、Ｔ４２と、アナログ音声入力端子４３、Ｔ４４と、制御信号入出力端子Ｔ４５とを備える。デジタル音声入力端子Ｔ４１は、クレードル１のデジタル音声出力端子Ｔ８が接続可能である。アナログ音声入力端子Ｔ４３は、クレードル１のアナログ音声出力端子Ｔ９が接続可能である。制御信号入出力端子Ｔ４５は、クレードル１の制御信号入出力端子Ｔ１０が接続可能である。
【００４４】
ＡＶアンプ４０は、スピーカー出力端子Ｔ４６、Ｔ４７を備える。スピーカー出力端子Ｔ４６にはメインスピーカー９０が接続可能である。スピーカー出力端子Ｔ４７にはＺＯＮＥ２スピーカー１００が接続可能である。スピーカー出力端子Ｔ４６、Ｔ４７は、スピーカーがアンプ内蔵スピーカーである場合には、プリアウト出力端子であり得る。クレードル１（ＤＡＰ２０，３０を含む）、ＡＶアンプ４０、メインスピーカー９０はメインルーム（第１ルーム）に配置され、ＺＯＮＥ２スピーカー１００はＺＯＮＥ２ルーム（第２ルーム）に配置されている。
【００４５】
特に限定されないが、メインスピーカーは、５．１チャンネル（例えば、前方左オーディオ信号ＦＬ、前方右オーディオ信号ＦＲ、中央オーディオ信号Ｃ、サラウンド左オーディオ信号ＳＬ、サラウンド右オーディオ信号ＳＲ、サブウーファオーディオ信号ＳＷ）分または７．１チャンネル分のスピーカーを含む。ＺＯＮＥ２スピーカーは、２チャンネル（例えば、前方左オーディオ信号ＦＬ、前方右オーディオ信号ＦＲ）分のスピーカーを含む。
【００４６】
ＡＶアンプ４０は、デジタル音声セレクタ４２と、アナログ音声セレクタ４３、４４と、Ａ／Ｄコンバータ４５と、ＤＳＰ４６と、Ｄ／Ａコンバータ４７と、増幅部４８、５０と、メモリ５１と、リモコン受信部５２と、操作部５３とを概略備えている。
【００４７】
デジタル音声入力端子Ｔ４１には、クレードル１（つまり、ＤＡＰ２０、又は、ＤＡＰ３０）からデジタルオーディオ信号が入力される。アナログ音声入力端子Ｔ４３には、クレードル１（つまり、ＤＡＰ２０、又は、ＤＡＰ３０）からアナログオーディオ信号が入力される。
【００４８】
デジタル音声セレクタ４２は、デジタル音声入力端子Ｔ４１に入力されるデジタルオーディオ信号、および、デジタル音声入力端子Ｔ４２に入力されるデジタルオーディオ信号の中から、ユーザ操作に応じて、メインルームで再生するための１つのデジタルオーディオ信号を選択し、ＤＳＰ（音声処理部）４６に供給する。
【００４９】
アナログ音声セレクタ４３は、アナログ音声入力端子Ｔ４３に入力されるアナログオーディオ信号、および、アナログ音声入力端子Ｔ４４に入力されるアナログオーディオ信号の中から、ユーザ操作に応じて、メインルームで再生するための１つのアナログオーディオ信号を選択し、Ａ／Ｄコンバータ４５に供給する。Ａ／Ｄコンバータ５は、アナログ音声セレクタ４３から供給されたアナログオーディオ信号をデジタルオーディオ信号にＡＤ変換し、ＤＳＰ４６に供給する。
【００５０】
ＤＳＰ４６には、デジタル音声セレクタ４２から供給されるデジタルオーディオ信号、および、アナログ音声セレクタ４３からＡ／Ｄコンバータ４５を介して供給されるデジタルオーディオ信号のうち、ユーザ操作に応じて選択された方のデジタルオーディオ信号が供給される。
【００５１】
ＤＳＰ４６は、デジタル音声セレクタ４２、または、Ａ／Ｄコンバータ４５から供給されたデジタルオーディオ信号に対して、所定の音声処理を実行し、Ｄ／Ａコンバータ４７に供給する。
【００５２】
Ｄ／Ａコンバータ４７は、ＤＳＰ４６から供給されたデジタルオーディオ信号をアナログオーディオ信号にＤＡ変換し、増幅部４８に供給する。増幅部４８は、Ｄ／Ａコンバータ４７から供給されたオーディオ信号を増幅し、スピーカー出力端子Ｔ４６を介して、メインスピーカー９０に出力する。
【００５３】
アナログ音声セレクタ４４は、アナログ音声入力端子Ｔ４３に入力されたアナログオーディオ信号、および、アナログ音声入力端子Ｔ４４に入力されたアナログオーディオ声信号の中から、ユーザ操作に応じて、ＺＯＮＥ２ルームで再生するための１つのアナログオーディオ信号を選択し、増幅部５０に供給する。
【００５４】
増幅部５０は、アナログ音声セレクタ４４から供給されたアナログオーディオ信号を増幅し、スピーカー出力端子Ｔ４７を介して、ＺＯＮＥ２スピーカー１００にオーディオ信号を出力する。
【００５５】
マイコン４１は、メモリ５１に格納されているＡＶアンプ４０の動作プログラムに基づいて、ＡＶアンプ４０の各部を制御するものである。リモコン受信部５２は、リモコン送信機７０からリモコン信号を受信し、マイコン４１に供給する。操作部５３は、ユーザ操作が入力されるものであり、筐体に設けられた操作ボタン等である。
【００５６】
マイコン４１は、ユーザ操作に応じて、メインスピーカー９０に出力すべきオーディオ信号が入力される音声入力端子（メインセレクタという。）、および、ＺＯＮＥ２スピーカー１００に出力すべきオーディオ信号が入力されるアナログ音声入力端子（ＺＯＮＥ２セレクタという。）を個別に選択する。つまり、メインスピーカー９０に出力するオーディオ信号、および、ＺＯＮＥ２スピーカー１００に出力するオーディオ信号を異なるものにすることができる。
【００５７】
メインルームでのＤＡＰの再生が選択された場合、つまり、メインセレクタとしてクレードル１（つまりＤＡＰ）が選択された場合、マイコン４１は、メインセレクタがクレードルを選択したことをクレードル１のマイコン２に通知する。このとき、マイコン４１は、デジタル音声セレクタ４２にクレードル１が接続されているデジタル音声入力端子Ｔ４１を選択させ、ＤＳＰ４６にデジタル音声セレクタ４２からのデジタルオーディオ信号を選択させる。従って、メインスピーカー９０には、クレードル１から供給されるデジタルオーディオ信号が増幅されて出力される。
【００５８】
ＺＯＮＥ２ルームでのＤＡＰの再生が選択された場合、つまり、ＺＯＮＥ２セレクタとしてクレードル１（つまり、ＤＡＰ）が選択された場合、マイコン４１は、ＺＯＮＥ２セレクタがクレードルを選択したことをクレードル１のマイコン２に通知する。このとき、マイコン４１は、アナログ音声セレクタ４４にクレードル１が接続されているアナログ音声入力端子Ｔ４３を選択させる。従って、ＺＯＮＥ２ピーカー１００には、クレードル１から供給されるアナログオーディオ信号が増幅されて出力される。
【００５９】
図２に戻って、ＰＣ６０は、ホストコントローラ６１とＨＤＤ６２とを概略備える。ＰＣ６０がクレードル１を介してＤＡＰ２０と接続されているとき、ホストコントローラ６１は、ＤＡＰ２０と通信し、所定時間間隔でＤＡＰ２０に対して充電コマンドを送信する。ＰＣ６０がクレードル１を介してＤＡＰ３０と接続されているとき、ホストコントローラ６１は、ＤＡＰ３０と通信し、所定時間間隔でＤＡＰ３０に対して充電コマンドを送信する。
【００６０】
ここで、スイッチＳＷ１〜ＳＷ５の選択状態について図４を参照して詳述する。
［（１）ＤＡＰ２０，３０がＰＣ６０とリンクしておらず、メインセレクタのみがクレードルを選択する場合］
ＤＡＰ２０，３０がＰＣ６０とリンクしていないので、スイッチＳＷ１は上側、スイッチＳＷ２は上側を選択している。
このとき、スイッチＳＷ３は上側、スイッチＳＷ４は下側、スイッチＳＷ５は下側を選択する。従って、ＤＡＰ２０からのデジタルオーディオ信号がＡＶアンプ４０に出力され、メインルームで再生される。ホストコントローラ３がＤＡＰ２０と通信することで、ＤＡＰ２０を充電させ、マイコン２がＤＡＰ３０と通信することで、ＤＡＰ３０を充電させる。
あるいは、スイッチＳＷ３は下側、スイッチＳＷ４は上側、スイッチＳＷ５は上側を選択する。従って、ＤＡＰ３０からのデジタルオーディオ信号がＡＶアンプ４０に出力され、メインルームで再生される。ホストコントローラ３がＤＡＰ３０と通信することで、ＤＡＰ３を充電させ、マイコン２がＤＡＰ２０と通信することで、ＤＡＰ２０を充電させる。
【００６１】
［（２）ＤＡＰ２０，３０がＰＣ６０とリンクしておらず、ＺＯＮＥ２セレクタのみがクレードルを選択する場合］
ＤＡＰ２０，３０がＰＣ６０とリンクしていないので、スイッチＳＷ１は上側、スイッチＳＷ２は上側を選択している。
このとき、スイッチＳＷ３は下側、スイッチＳＷ４は上側、スイッチＳＷ５は上側を選択する。従って、ＤＡＰ２０からのアナログオーディオ信号がＡＶアンプ４０に出力され、ＺＯＮＥ２ルームで再生される。マイコン２がＤＡＰ２０と通信することで、ＤＡＰ２０を充電させ、ホストコントローラ３がＤＡＰ３０と通信することで、ＤＡＰ３０を充電させる。
あるいは、スイッチＳＷ３は上側、スイッチＳＷ４は下側、スイッチＳＷ５は下側を選択する。従って、ＤＡＰ３０からのアナログオーディオ信号がＡＶアンプ４０に出力され、ＺＯＮＥ２ルームで再生される。マイコン２がＤＡＰ３０と通信することで、ＤＡＰ３０を充電させ、ホストコントローラ３がＤＡＰ２０と通信することで、ＤＡＰ２０を充電させる。
【００６２】
［（３）ＤＡＰ２０，３０がＰＣ６０とリンクしておらず、メインセレクタおよびＺＯＮＥ２セレクタがクレードルを選択する場合］
ＤＡＰ２０，３０がＰＣ６０とリンクしていないので、スイッチＳＷ１は上側、スイッチＳＷ２は上側を選択している。
このとき、スイッチＳＷ３は上側、スイッチＳＷ４は下側、スイッチＳＷ５は下側を選択する。従って、ＤＡＰ２０からのデジタルオーディオ信号がＡＶアンプ４０に出力され、メインルームで再生される。ＤＡＰ３０からのアナログオーディオ信号がＡＶアンプ４０に出力され、ＺＯＮＥ２ルームで再生される。ホストコントローラ３がＤＡＰ２０と通信することで、ＤＡＰ２０を充電させ、マイコン２がＤＡＰ３０と通信することで、ＤＡＰ３０を充電させる。
あるいは、スイッチＳＷ３は下側、スイッチＳＷ４は上側、スイッチＳＷ５は上側を選択する。従って、ＤＡＰ３０からのデジタルオーディオ信号がＡＶアンプ４０に出力され、メインルームで再生される。ＤＡＰ２０からのアナログオーディオ信号がＡＶアンプ４０に出力され、ＺＯＮＥ２ルームで再生される。ホストコントローラ３がＤＡＰ３０と通信することで、ＤＡＰ３０を充電させ、マイコン２がＤＡＰ２０と通信することで、ＤＡＰ２０を充電させる。
【００６３】
［（４）ＤＡＰ２０がＰＣ６０とリンクしており、メインセレクタのみがクレードルを選択する場合］
ＤＡＰ２０がＰＣ６０とリンクしているので、スイッチＳＷ１は下側、スイッチＳＷ２は上側を選択している。
このとき、スイッチＳＷ３は下側を選択する。スイッチＳＷ４、ＳＷ５はどちらを選択してもよい。従って、ＤＡＰ３０からのデジタルオーディオ信号がＡＶアンプ４０に出力され、メインルームで再生される。ＰＣ６０がＤＡＰ２０と通信することで、ＤＡＰ２０を充電させ、ホストコントローラ３がＤＡＰ３０と通信することで、ＤＡＰ３０を充電させる。
【００６４】
［（５）ＤＡＰ２０がＰＣ６０とリンクしており、ＺＯＮＥ２セレクタのみがクレードルを選択する場合］
ＤＡＰ２０がＰＣ６０とリンクしているので、スイッチＳＷ１は下側、スイッチＳＷ２は上側を選択している。
このとき、スイッチＳＷ４は下側、ＳＷ５は下側を選択する。スイッチＳＷ３はどちらを選択してもよい。従って、ＤＡＰ３０からのアナログオーディオ信号がＡＶアンプ４０に出力され、ＺＯＮＥ２ルームで再生される。ＰＣ６０がＤＡＰ２０と通信することで、ＤＡＰ２０を充電させ、マイコン２がＤＡＰ３０と通信することで、ＤＡＰ３０を充電させる。
【００６５】
［（６）ＤＡＰ２０がＰＣ６０とリンクしており、メインセレクタおよびＺＯＮＥ２セレクタがクレードルを選択する場合］
ＤＡＰ２０がＰＣ６０とリンクしているので、スイッチＳＷ１は下側、スイッチＳＷ２は上側を選択している。
このとき、スイッチＳＷ３は下側、ＳＷ４は下側、ＳＷ５は下側を選択する。従って、ＤＡＰ３０からのデジタルオーディオ信号がＡＶアンプ４０に出力され、メインルームで再生される。ＤＡＰ３０からのアナログオーディオ信号がＡＶアンプ４０に出力され、ＺＯＮＥ２ルームで再生される。ＰＣ６０がＤＡＰ２０と通信することで、ＤＡＰ２０を充電させ、ホストコントローラ３又はマイコン２がＤＡＰ３０と通信することで、ＤＡＰ３０を充電させる。
【００６６】
［（７）ＤＡＰ３０がＰＣ６０とリンクしており、メインセレクタのみがクレードルを選択する場合］
ＤＡＰ３０がＰＣ６０とリンクしているので、スイッチＳＷ２は下側、スイッチＳＷ１は上側を選択している。
このとき、スイッチＳＷ３は上側を選択する。スイッチＳＷ４、ＳＷ５はどちらを選択してもよい。従って、ＤＡＰ２０からのデジタルオーディオ信号がＡＶアンプ４０に出力され、メインルームで再生される。ＰＣ６０がＤＡＰ３０と通信することで、ＤＡＰ３０を充電させ、ホストコントローラ３がＤＡＰ２０と通信することで、ＤＡＰ２０を充電させる。
【００６７】
［（８）ＤＡＰ３０がＰＣ６０とリンクしており、ＺＯＮＥ２セレクタのみがクレードルを選択する場合］
ＤＡＰ３０がＰＣ６０とリンクしているので、スイッチＳＷ２は下側、スイッチＳＷ１は上側を選択している。
このとき、スイッチＳＷ４は上側、ＳＷ５は上側を選択する。スイッチＳＷ３はどちらを選択してもよい。従って、ＤＡＰ２０からのアナログオーディオ信号がＡＶアンプ４０に出力され、ＺＯＮＥ２ルームで再生される。ＰＣ６０がＤＡＰ３０と通信することで、ＤＡＰ３０を充電させ、マイコン２がＤＡＰ２０と通信することで、ＤＡＰ２０を充電させる。
【００６８】
［（９）ＤＡＰ３０がＰＣ６０とリンクしており、メインセレクタおよびＺＯＮＥ２セレクタがクレードルを選択する場合］
ＤＡＰ３０がＰＣ６０とリンクしているので、スイッチＳＷ２は下側、スイッチＳＷ１は上側を選択している。
このとき、スイッチＳＷ３は上側、ＳＷ４は上側、ＳＷ５は上側を選択する。従って、ＤＡＰ２０からのデジタルオーディオ信号がＡＶアンプ４０に出力され、メインルームで再生される。ＤＡＰ２０からのアナログオーディオ信号がＡＶアンプ４０に出力され、ＺＯＮＥ２ルームで再生される。ＰＣ６０がＤＡＰ３０と通信することで、ＤＡＰ３０を充電させ、ホストコントローラ３又はマイコン２がＤＡＰ２０と通信することで、ＤＡＰ２０を充電させる。
【００６９】
以下、クレードル１およびＡＶアンプ４０の動作を説明する。図５は、ＡＶアンプ４０のマイコン４１の処理を示すフローチャートであり、図６は、クレードル１のマイコン２の処理を示すフローチャートである。
【００７０】
図５に示すように、ＡＶアンプ４０のマイコン４１は、ユーザ操作によって、メインルームでのＤＡＰの再生を選択する指示が入力されたか否かを判断している（Ｓ１）。メインルームでのＤＡＰの再生を選択する指示が入力された場合（Ｓ１でＹＥＳ）、マイコン４１は、通信バスを介して、クレードル１のマイコン２に、メインセレクタがクレードルを選択したことを通知する（Ｓ２）。
【００７１】
メインルームでのＤＡＰの再生を選択する指示が入力されない場合（Ｓ１でＮＯ）、マイコン４１は、ユーザ操作によって、ＺＯＮＥ２ルームでのＤＡＰの再生を選択する指示が入力されたか否かを判断している（Ｓ３）。ＺＯＮＥ２ルームでのＤＡＰの再生を選択する指示が入力された場合（Ｓ３でＹＥＳ）、マイコン４１は、通信バスを介して、クレードル１のマイコン２に、ＺＯＮＥ２セレクタがクレードルを選択したことを通知する（Ｓ４）。
【００７２】
図６に示すように、クレードル１のマイコン２は、通信バスを介して、ＡＶアンプ４０のマイコン４２から通知を受信する（Ｓ１１）。マイコン２は、通知内容がメインセレクタがクレードルを選択したことを示すか否かを判断する（Ｓ１２）。メインセレクタがクレードルを選択した場合（Ｓ１２でＹＥＳ）、マイコン２は、ＡＶアンプ４０にＤＡＰ２０又はＤＡＰ３０からのデジタルオーディオ信号を出力するよう、スイッチＳＷ１〜ＳＷ５を切換え制御する（Ｓ１３）。
【００７３】
通知内容がメインセレクタがクレードルを選択したことを示さない場合（Ｓ１２でＮＯ）、マイコン２は、通知内容がＺＯＮＥ２セレクタがクレードルを選択したことを示すか否かを判断する（Ｓ１４）。ＺＯＮＥ２セレクタがクレードルを選択した場合（Ｓ１４でＹＥＳ）、マイコン２は、ＡＶアンプ４０にＤＡＰ２０又はＤＡＰ３０からのアナログオーディオ信号を出力するよう、スイッチＳＷ１〜ＳＷ５を切換え制御する（Ｓ１５）。
【００７４】
Ｓ１３の詳細を図７に示す。マイコン２は、クレードル１が、ＤＡＰ２０又はＤＡＰ３０からのデジタルオーディオ信号を受信して、ＡＶアンプ４０に出力している状態であるか否かを判断する（Ｓ２１）。詳細には、スイッチＳＷ１、ＳＷ３が上側を選択し、ＤＡＰ２０がデジタルオーディオ信号を出力している、又は、スイッチＳＷ２が上側、ＳＷ３が下側を選択し、ＤＡＰ３０がデジタルオーディオ信号を出力しているか否かが判断される。これらの状態は、図示しないメモリで管理されている。ＤＡＰ２０又はＤＡＰ３０からのデジタルオーディオ信号を受信して、ＡＶアンプ４０に出力している状態である場合（Ｓ２１でＹＥＳ）、スイッチＳＷ１〜ＳＷ５を切換える必要がない。
【００７５】
ＤＡＰ２０又はＤＡＰ３０からのデジタルオーディオ信号を受信して、ＡＶアンプ４０に出力している状態でない場合（Ｓ２１でＮＯ）、マイコン２は、ＤＡＰ２０はＰＣ６０とリンクしているか否かを判断する（Ｓ２２）。つまり、スイッチＳＷ１が下側を選択しているか否かが判断される。この状態も、メモリで管理されている。ＤＡＰ２０がＰＣ６０とリンクしている場合（Ｓ２２でＹＥＳ）、マイコン２は、ＤＡＰ３０にデジタルオーディオ信号を出力させ、ＤＡＰ３０からのデジタルオーディオ信号をメインルーム再生用にＡＶアンプ４０に供給するように、スイッチを切換える（Ｓ２３）。
【００７６】
つまり、スイッチＳＷ１に下側（ＵＳＢ端子Ｔ１とＵＳＢ端子Ｔ７とが接続された状態）を選択させ、スイッチＳＷ２に上側（ＵＳＢ端子Ｔ４とスイッチＳＷ３とが接続された状態）を選択させ、スイッチＳＷ３に下側（スイッチＳＷ２とホストコントローラ３とが接続された状態）を選択させ、スイッチＳＷ４に下側（アナログ音声入力端子Ｔ６とアナログ音声出力端子Ｔ９とが接続された状態）を選択させ、スイッチＳＷ５に下側（制御信号入出力端子Ｔ５とマイコン２とが接続された状態）を選択させる。
【００７７】
マイコン２は、ＤＡＰ３０に対して、デジタルオーディオ信号をクレードル１に出力するように指示する（Ｓ２４）。これに応じて、ＤＡＰ３０は、デジタルオーディオ信号をＵＳＢ経由でクレードル１に出力する。クレードル１では、ＵＳＢ端子Ｔ４に入力されたデジタルオーディオ信号を、スイッチＳＷ２、ＳＷ３、ホストコントローラ３、デジタル音声出力端子Ｔ８を介してＡＶアンプ４０に供給する。ＡＶアンプ４０では、デジタル音声セレクタ４２はクレードル１が接続されたデジタル音声入力端子Ｔ４１を選択し、ＤＳＰはデジタル音声セレクタ４２を選択する。従って、クレードル１（ＤＡＰ３０）からのデジタル音声信号がメインルームで再生される。
【００７８】
なお、この場合に、ホストコントローラ３がＵＳＢ経由でＤＡＰ３０と通信し、ＤＡＰ３０に充電コマンドを所定時間間隔で送信するので、ＤＡＰ３０を継続的に充電させることができる。また、ＰＣ６０がクレードル１経由でＤＡＰ２０と通信し、ＤＡＰ２０に充電コマンドを所定時間間隔で送信するので、ＤＡＰ２０を継続的に充電させることができる。
【００７９】
また、スイッチＳＷ４に下側を選択させ、スイッチＳＷ５に下側を選択させるのは、ＺＯＮＥ２セレクタもクレードルを選択した場合に、ＤＡＰ３０からのアナログオーディオ信号をＺＯＮＥ２用のアナログオーディオ信号としてＡＶアンプ４０に供給できるようにするためである。
【００８０】
ＤＡＰ２０がＰＣ６０とリンクしていない場合（Ｓ２２でＮＯ）、マイコン２は、ＤＡＰ３０はＰＣ６０とリンクしているか否かを判断する（Ｓ２５）。つまり、スイッチＳＷ２が下側を選択しているか否かが判断される。この状態も、メモリで管理されている。ＤＡＰ３０がＰＣ６０とリンクしている場合（Ｓ２５でＹＥＳ）、マイコン２は、ＤＡＰ２０にデジタルオーディオ信号を出力させ、ＤＡＰ２０からのデジタルオーディオ信号をメインルーム再生用にＡＶアンプ４０に供給するように、スイッチを切換える（Ｓ２６）。
【００８１】
つまり、スイッチＳＷ１に上側（ＵＳＢ端子Ｔ１とスイッチＳＷ３とが接続された状態）を選択させ、スイッチＳＷ２に下側（ＵＳＢ端子Ｔ４とＵＳＢ端子Ｔ７とが接続された状態）を選択させ、スイッチＳＷ３に上側（スイッチＳＷ１とホストコントローラ３とが接続された状態）を選択させ、スイッチＳＷ４に上側（アナログ音声入力端子Ｔ３とアナログ音声出力端子Ｔ９とが接続された状態）を選択させ、スイッチＳＷ５に上側（制御信号入出力端子Ｔ２とマイコン２とが接続された状態）を選択させる。
【００８２】
マイコン２は、ＤＡＰ２０に対して、デジタルオーディオ信号をクレードル１に出力するように指示する（Ｓ２７）。これに応じて、ＤＡＰ２０は、デジタルオーディオ信号をＵＳＢ経由でクレードル１に出力する。クレードル１は、ＵＳＢ端子Ｔ１に入力されたデジタルオーディオ信号を、スイッチＳＷ１、ＳＷ３、ホストコントローラ３、デジタル音声出力端子Ｔ８を介してＡＶアンプ４０に供給する。ＡＶアンプ４０では、デジタル音声セレクタ４２はクレードル１が接続されたデジタル音声入力端子Ｔ４１を選択し、ＤＳＰ４６はデジタル音声セレクタ４２を選択する。従って、クレードル１（ＤＡＰ２０）からのデジタル音声信号がメインルームで再生される。
【００８３】
なお、この場合に、ホストコントローラ３がＵＳＢ経由でＤＡＰ２０と通信し、ＤＡＰ２０に充電コマンドを所定時間間隔で送信するので、ＤＡＰ２０を継続的に充電させることができる。また、ＰＣ６０がクレードル１経由でＤＡＰ３０と通信し、ＤＡＰ３０に充電コマンドを所定時間間隔で送信するので、ＤＡＰ３０を継続的に充電させることができる。
【００８４】
また、スイッチＳＷ４に上側を選択させ、スイッチＳＷ５に上側を選択させるのは、ＺＯＮＥ２セレクタもクレードルを選択した場合に、ＤＡＰ２０からのアナログオーディオ信号をＺＯＮＥ２用のアナログオーディオ信号としてＡＶアンプ４０に供給できるようにするためである。
【００８５】
ＤＡＰ３０がＰＣ６０とリンクしていない場合（Ｓ２５でＮＯ）、マイコン２は、クレードル１が、ＤＡＰ２０からのアナログオーディオ信号を受信して、ＡＶアンプ４０に出力している状態であるか否かを判断する（Ｓ２８）。詳細には、スイッチＳＷ４が上側を選択し、ＤＡＰ２０がアナログオーディオ信号を出力しているか否かが判断される。これらの状態は、図示しないメモリで管理されている。クレードル１が、ＤＡＰ２０からのアナログオーディオ信号を受信して、ＡＶアンプ４０に出力している状態である場合（Ｓ２８でＹＥＳ）、マイコン２は、ＤＡＰ３０にデジタルオーディオ信号を出力させ、ＤＡＰ３０からのデジタルオーディオ信号をメインルーム再生用にＡＶアンプ４０に供給するように、スイッチを切換える（Ｓ２９）。
【００８６】
つまり、スイッチＳＷ１に上側（ＵＳＢ端子Ｔ１とスイッチＳＷ３とが接続された状態）を選択させ、スイッチＳＷ２に上側（ＵＳＢ端子Ｔ４とスイッチＳＷ３とが接続された状態）を選択させ、スイッチＳＷ３に下側（スイッチＳＷ２とホストコントローラ３とが接続された状態）を選択させ、スイッチＳＷ４に上側（アナログ音声入力端子Ｔ３とアナログ音声出力端子Ｔ９とが接続された状態）を選択させ、スイッチＳＷ５に上側（制御信号入出力端子Ｔ２とマイコン２とが接続された状態）を選択させる。
【００８７】
マイコン２は、ＤＡＰ３０に対して、デジタルオーディオ信号をクレードル１に出力するように指示する（Ｓ３０）。これに応じて、ＤＡＰ３０は、デジタルオーディオ信号をＵＳＢ経由でクレードル１に出力する。クレードル１は、ＵＳＢ端子Ｔ４に入力されたデジタルオーディオ信号を、スイッチＳＷ２、ＳＷ３、ホストコントローラ３、デジタル音声出力端子Ｔ８を介してＡＶアンプ４０に供給する。ＡＶアンプ４０では、デジタル音声セレクタ４２はクレードル１が接続されたデジタル音声入力端子Ｔ４１を選択し、ＤＳＰ４６はデジタル音声セレクタ４２を選択する。従って、クレードル１（ＤＡＰ３０）からのデジタル音声信号がメインルームで再生される。
【００８８】
なお、この場合に、ホストコントローラ３がＵＳＢ経由でＤＡＰ３０と通信し、ＤＡＰ３０に充電コマンドを所定時間間隔で送信するので、ＤＡＰ３０を継続的に充電させることができる。また、マイコン２が通信バス経由でＤＡＰ２０と通信し、ＤＡＰ２０に充電コマンドを所定時間間隔で送信するので、ＤＡＰ２０を継続的に充電させることができる。
【００８９】
クレードル１が、ＤＡＰ２０からのアナログオーディオ信号を受信して、ＡＶアンプ４０に出力している状態でない場合（Ｓ２８でＮＯ）、マイコン２は、ＤＡＰ２０にデジタルオーディオ信号を出力させ、ＤＡＰ２０からのデジタルオーディオ信号をメインルーム再生用にＡＶアンプ４０に供給するように（なお、ＤＡＰ３０にアナログオーディオ信号を出力させ、ＤＡＰ３０からのアナログオーディオ信号をＺＯＮＥ２ルーム再生用にＡＶアンプ４０に供給するように）、スイッチを切換える（Ｓ３１）。
【００９０】
つまり、スイッチＳＷ１に上側（ＵＳＢ端子Ｔ１とスイッチＳＷ３とが接続された状態）を選択させ、スイッチＳＷ２に上側（ＵＳＢ端子Ｔ４とスイッチＳＷ３とが接続された状態）を選択させ、スイッチＳＷ３に上側（スイッチＳＷ１とホストコントローラ３とが接続された状態）を選択させ、スイッチＳＷ４に下側（アナログ音声入力端子Ｔ６とアナログ音声出力端子Ｔ９とが接続された状態）を選択させ、スイッチＳＷ５に下側（制御信号入出力端子Ｔ５とマイコン２とが接続された状態）を選択させる。
【００９１】
マイコン２は、ＤＡＰ２０に対して、デジタルオーディオ信号をクレードル１に出力するように指示する（Ｓ３２）。これに応じて、ＤＡＰ２０は、デジタルオーディオ信号をＵＳＢ経由でクレードル１に出力する。クレードル１は、ＵＳＢ端子Ｔ１に入力されたデジタルオーディオ信号を、スイッチＳＷ１、ＳＷ３、ホストコントローラ３、デジタル音声出力端子Ｔ８を介してＡＶアンプ４０に供給する。ＡＶアンプ４０では、デジタル音声セレクタ４２はクレードル１が接続されたデジタル音声入力端子Ｔ４１を選択し、ＤＳＰ４６はデジタル音声セレクタ４２を選択する。従って、クレードル１（ＤＡＰ２０）からのデジタル音声信号がメインルームで再生される。
【００９２】
なお、この場合に、ホストコントローラ３がＵＳＢ経由でＤＡＰ２０と通信し、ＤＡＰ２０に充電コマンドを所定時間間隔で送信するので、ＤＡＰ２０を継続的に充電させることができる。また、マイコン２が通信バス経由でＤＡＰ３０と通信し、ＤＡＰ３０に充電コマンドを所定時間間隔で送信するので、ＤＡＰ３０を継続的に充電させることができる。
【００９３】
続いて、Ｓ１５の詳細を図８に示す。マイコン２は、クレードル１が、ＤＡＰ２０又はＤＡＰ３０からのアナログオーディオ信号を受信して、ＡＶアンプ４０に出力している状態であるか否かを判断する（Ｓ４１）。詳細には、スイッチＳＷ１、ＳＷ４が上側を選択し、ＤＡＰ２０がアナログオーディオ信号を出力している、又は、スイッチＳＷ２が上側、ＳＷ４が下側を選択し、ＤＡＰ３０がアナログオーディオ信号を出力しているか否かが判断される。これらの状態は、図示しないメモリで管理されている。ＤＡＰ２０又はＤＡＰ３０からのアナログオーディオ信号を受信して、ＡＶアンプ４０に出力している状態である場合（Ｓ４１でＹＥＳ）、スイッチＳＷ１〜ＳＷ５を切換える必要がない。
【００９４】
クレードル１が、ＤＡＰ２０又はＤＡＰ３０からのアナログオーディオ信号を受信して、ＡＶアンプ４０に出力している状態でない場合（Ｓ４１でＮＯ）、マイコン２は、ＤＡＰ２０はＰＣ６０とリンクしているか否かを判断する（Ｓ４２）。つまり、スイッチＳＷ１が下側を選択しているか否かが判断される。この状態も、メモリで管理されている。ＤＡＰ２０がＰＣ６０とリンクしている場合（Ｓ４２でＹＥＳ）、マイコン２は、クレードル１が、ＤＡＰ３０からのデジタルオーディオ信号を受信して、ＡＶアンプ４０に出力している状態であるか否かを判断する（Ｓ４３）。詳細には、スイッチＳＷ２が上側、ＳＷ３が下側を選択し、ＤＡＰ３０がデジタルオーディオ信号を出力しているか否かが判断される。これらの状態は、図示しないメモリで管理されている。
【００９５】
クレードル１が、ＤＡＰ３０からのデジタルオーディオ信号を受信して、ＡＶアンプ４０に出力している状態である場合（Ｓ４３でＹＥＳ）、マイコン２は、ＤＡＰ３０にアナログオーディオ信号を出力させ、ＤＡＰ３０からのアナログオーディオ信号をＺＯＮＥ２ルーム再生用にＡＶアンプ４０に供給するように（なお、ＤＡＰ３０にデジタルオーディオ信号を出力させ、ＤＡＰ３０からのデジタルオーディオ信号をメインルーム再生用にＡＶアンプ４０に供給するように）、スイッチを切換える（Ｓ４４）。
【００９６】
つまり、スイッチＳＷ１に下側（ＵＳＢ端子Ｔ１とＵＳＢ端子Ｔ７とが接続された状態）を選択させ、スイッチＳＷ２に上側（ＵＳＢ端子Ｔ４とスイッチＳＷ３とが接続された状態）を選択させ、スイッチＳＷ３に下側（スイッチＳＷ２とホストコントローラ３とが接続された状態）を選択させ、スイッチＳＷ４に下側（アナログ音声入力端子Ｔ６とアナログ音声出力端子Ｔ９とが接続された状態）を選択させ、スイッチＳＷ５に下側（制御信号入出力端子Ｔ５とマイコン２とが接続された状態）を選択させる。
【００９７】
マイコン２は、ＤＡＰ３０に対して、アナログオーディオ信号をクレードル１に出力するように指示する（Ｓ４５）。これに応じて、ＤＡＰ３０は、アナログオーディオ信号をクレードル１に出力する。なお、ＤＡＰ３０が既にアナログオーディオ信号を出力している場合には、指示を送信する必要がない。クレードル１は、アナログ音声入力端子Ｔ６に入力されたアナログオーディオ信号を、スイッチＳＷ４、アナログ音声出力端子Ｔ９を介してＡＶアンプ４０に供給する。ＡＶアンプ４０では、アナログ音声セレクタ４４はクレードル１が接続されたアナログ音声入力端子Ｔ４３を選択する。従って、クレードル１（ＤＡＰ３０）からのアナログオーディオ信号がＺＯＮＥ２ルームで再生される。
【００９８】
なお、この場合に、マイコン２が通信バス経由でＤＡＰ３０と通信し、ＤＡＰ３０に充電コマンドを所定時間間隔で送信するので、ＤＡＰ３０を継続的に充電させることができる。また、ＰＣ６０がクレードル１経由でＤＡＰ２０と通信し、ＤＡＰ２０に充電コマンドを所定時間間隔で送信するので、ＤＡＰ２０を継続的に充電させることができる。
【００９９】
クレードル１が、ＤＡＰ３０からのデジタルオーディオ信号を受信して、ＡＶアンプ４０に出力している状態でない場合（Ｓ４３でＮＯ）、マイコン２は、ＤＡＰ３０にアナログオーディオ信号を出力させ、ＤＡＰ３０からのアナログオーディオ信号をＺＯＮＥ２ルーム再生用にＡＶアンプ４０に供給するように、スイッチを切換える（Ｓ４６）。
【０１００】
つまり、スイッチＳＷ１に下側（ＵＳＢ端子Ｔ１とＵＳＢ端子Ｔ７とが接続された状態）を選択させ、スイッチＳＷ２に上側（ＵＳＢ端子Ｔ４とスイッチＳＷ３とが接続された状態）を選択させ、スイッチＳＷ３に上側（スイッチＳＷ１とホストコントローラ３とが接続された状態）を選択させ、スイッチＳＷ４に下側（アナログ音声入力端子Ｔ６とアナログ音声出力端子Ｔ９とが接続された状態）を選択させ、スイッチＳＷ５に下側（制御信号入出力端子Ｔ５とマイコン２とが接続された状態）を選択させる。
【０１０１】
マイコン２は、ＤＡＰ３０に対して、アナログオーディオ信号をクレードル１に出力するように指示する（Ｓ４７）。これに応じて、ＤＡＰ３０は、アナログオーディオ信号をクレードル１に出力する。クレードル１は、アナログ音声入力端子Ｔ６に入力されたアナログオーディオ信号を、スイッチＳＷ４、アナログ音声出力端子Ｔ９を介してＡＶアンプ４０に供給する。ＡＶアンプ４０では、アナログ音声セレクタ４４はクレードル１が接続されたアナログ音声入力端子Ｔ４３を選択する。従って、クレードル１（ＤＡＰ３０）からのアナログオーディオ信号がＺＯＮＥ２ルームで再生される。
【０１０２】
なお、この場合に、マイコン２が通信バス経由でＤＡＰ３０と通信し、ＤＡＰ３０に充電コマンドを所定時間間隔で送信するので、ＤＡＰ３０を継続的に充電させることができる。また、ＰＣ６０がクレードル１経由でＤＡＰ２０と通信し、ＤＡＰ２０に充電コマンドを所定時間間隔で送信するので、ＤＡＰ２０を継続的に充電させることができる。
【０１０３】
ＤＡＰ２０がＰＣ６０とリンクしていない場合（Ｓ４２でＮＯ）、マイコン２は、ＤＡＰ３０はＰＣ６０とリンクしているか否かを判断する（Ｓ４８）。つまり、スイッチＳＷ２が下側を選択しているか否かが判断される。この状態も、メモリで管理されている。ＤＡＰ３０がＰＣ６０とリンクしている場合（Ｓ４８でＹＥＳ）、マイコン２は、クレードル１が、ＤＡＰ２０からのデジタルオーディオ信号を受信して、ＡＶアンプ４０に出力している状態であるか否かを判断する（Ｓ４９）。詳細には、スイッチＳＷ１が上側、ＳＷ３が上側を選択し、ＤＡＰ２０がデジタルオーディオ信号を出力しているか否かが判断される。これらの状態は、図示しないメモリで管理されている。
【０１０４】
クレードル１が、ＤＡＰ２０からのデジタルオーディオ信号を受信して、ＡＶアンプ４０に出力している状態である場合（Ｓ４９でＹＥＳ）、マイコン２は、ＤＡＰ２０にアナログオーディオ信号を出力させ、ＤＡＰ２０からのアナログオーディオ信号をＺＯＮＥ２ルーム再生用にＡＶアンプ４０に供給するように（なお、引き続き、ＤＡＰ２０にデジタルオーディオ信号も出力させ、ＤＡＰ２０からのデジタルオーディオ信号をメインルーム再生用にＡＶアンプ４０に供給するように）、スイッチを切換える（Ｓ５０）。
【０１０５】
つまり、スイッチＳＷ１に上側（ＵＳＢ端子Ｔ１とスイッチＳＷ３とが接続された状態）を選択させ、スイッチＳＷ２に下側（ＵＳＢ端子Ｔ４とＵＳＢ端子Ｔ７とが接続された状態）を選択させ、スイッチＳＷ３に上側（スイッチＳＷ１とホストコントローラ３とが接続された状態）を選択させ、スイッチＳＷ４に上側（アナログ音声入力端子Ｔ３とアナログ音声出力端子Ｔ９とが接続された状態）を選択させ、スイッチＳＷ５に上側（制御信号入出力端子Ｔ２とマイコン２とが接続された状態）を選択させる。
【０１０６】
マイコン２は、ＤＡＰ２０に対して、アナログオーディオ信号をクレードル１に出力するように指示する（Ｓ５１）。これに応じて、ＤＡＰ２０は、アナログオーディオ信号をクレードル１に出力する。なお、ＤＡＰ２０が既にアナログオーディオ信号を出力している場合、指示を送信する必要がない。クレードル１は、アナログ音声入力端子Ｔ３に入力されたアナログオーディオ信号を、スイッチＳＷ４、アナログ音声出力端子Ｔ９を介してＡＶアンプ４０に供給する。ＡＶアンプ４０では、アナログ音声セレクタ４４はクレードル１が接続されたアナログ音声入力端子Ｔ４３を選択する。従って、クレードル１（ＤＡＰ２０）からのアナログオーディオ信号がＺＯＮＥ２ルームで再生される。
【０１０７】
なお、この場合に、マイコン２が通信バス経由でＤＡＰ２０と通信し、ＤＡＰ２０に充電コマンドを所定時間間隔で送信するので、ＤＡＰ２０を継続的に充電させることができる。また、ＰＣ６０がクレードル１経由でＤＡＰ３０と通信し、ＤＡＰ３０に充電コマンドを所定時間間隔で送信するので、ＤＡＰ３０を継続的に充電させることができる。
【０１０８】
クレードル１が、ＤＡＰ２０からのデジタルオーディオ信号を受信して、ＡＶアンプ４０に出力している状態でない場合（Ｓ４９でＮＯ）、マイコン２は、ＤＡＰ２０にアナログオーディオ信号を出力させ、ＤＡＰ２０からのアナログオーディオ信号をＺＯＮＥ２ルーム再生用にＡＶアンプ４０に供給するように、スイッチを切換える（Ｓ５２）。
【０１０９】
つまり、スイッチＳＷ１に上側（ＵＳＢ端子Ｔ１とスイッチＳＷ３とが接続された状態）を選択させ、スイッチＳＷ２に下側（ＵＳＢ端子Ｔ４とＵＳＢ端子Ｔ７とが接続された状態）を選択させ、スイッチＳＷ３に下側（スイッチＳＷ２とホストコントローラ３とが接続された状態）を選択させ、スイッチＳＷ４に上側（アナログ音声入力端子Ｔ３とアナログ音声出力端子Ｔ９とが接続された状態）を選択させ、スイッチＳＷ５に上側（制御信号入出力端子Ｔ２とマイコン２とが接続された状態）を選択させる。
【０１１０】
マイコン２は、ＤＡＰ２０に対して、アナログオーディオ信号をクレードル１に出力するように指示する（Ｓ５３）。これに応じて、ＤＡＰ２０は、アナログオーディオ信号をクレードル１に出力する。クレードル１は、アナログ音声入力端子Ｔ３に入力されたアナログオーディオ信号を、スイッチＳＷ４、アナログ音声出力端子Ｔ９を介してＡＶアンプ４０に供給する。ＡＶアンプ４０では、アナログ音声セレクタ４４はクレードル１が接続されたアナログ音声入力端子Ｔ４３を選択する。従って、クレードル１（ＤＡＰ２０）からのアナログオーディオ信号がＺＯＮＥ２ルームで再生される。
【０１１１】
なお、この場合に、マイコン２が通信バス経由でＤＡＰ２０と通信し、ＤＡＰ２０に充電コマンドを所定時間間隔で送信するので、ＤＡＰ２０を継続的に充電させることができる。また、ＰＣ６０がクレードル１経由でＤＡＰ３０と通信し、ＤＡＰ３０に充電コマンドを所定時間間隔で送信するので、ＤＡＰ３０を継続的に充電させることができる。
【０１１２】
ＤＡＰ３０がＰＣ６０とリンクしていない場合（Ｓ４８でＮＯ）、マイコン２は、クレードル１が、ＤＡＰ２０からのデジタルオーディオ信号を受信して、ＡＶアンプ４０に出力している状態であるか否かを判断する（Ｓ５４）。詳細には、スイッチＳＷ１が上側、ＳＷ３が上側を選択し、ＤＡＰ２０がデジタルオーディオ信号を出力しているか否かが判断される。これらの状態は、図示しないメモリで管理されている。
【０１１３】
クレードル１が、ＤＡＰ２０からのデジタルオーディオ信号を受信して、ＡＶアンプ４０に出力している状態である場合（Ｓ５４でＹＥＳ）、マイコン２は、ＤＡＰ３０にアナログオーディオ信号を出力させ、ＤＡＰ３０からのアナログオーディオ信号をＺＯＮＥ２ルーム再生用にＡＶアンプ４０に供給するように、スイッチを切換える（Ｓ５５）。
【０１１４】
つまり、スイッチＳＷ１に上側（ＵＳＢ端子Ｔ１とスイッチＳＷ３とが接続された状態）を選択させ、スイッチＳＷ２に上側（ＵＳＢ端子Ｔ４とスイッチＳＷ３とが接続された状態）を選択させ、スイッチＳＷ３に上側（スイッチＳＷ１とホストコントローラ３とが接続された状態）を選択させ、スイッチＳＷ４に下側（アナログ音声入力端子Ｔ６とアナログ音声出力端子Ｔ９とが接続された状態）を選択させ、スイッチＳＷ５に下側（制御信号入出力端子Ｔ５とマイコン２とが接続された状態）を選択させる。
【０１１５】
マイコン２は、ＤＡＰ３０に対して、アナログオーディオ信号をクレードル１に出力するように指示する（Ｓ５６）。これに応じて、ＤＡＰ３０は、アナログオーディオ信号をクレードル１に出力する。クレードル１は、アナログ音声入力端子Ｔ６に入力されたアナログオーディオ信号を、スイッチＳＷ４、アナログ音声出力端子Ｔ９を介してＡＶアンプ４０に供給する。ＡＶアンプ４０では、アナログ音声セレクタ４４はクレードル１が接続されたアナログ音声入力端子Ｔ４３を選択する。従って、クレードル１（ＤＡＰ３０）からのアナログオーディオ信号がＺＯＮＥ２ルームで再生される。
【０１１６】
なお、この場合に、マイコン２が通信バス経由でＤＡＰ３０と通信し、ＤＡＰ３０に充電コマンドを所定時間間隔で送信するので、ＤＡＰ３０を継続的に充電させることができる。また、ホストコントローラ３がＵＳＢ経由でＤＡＰ２０と通信し、ＤＡＰ２０に充電コマンドを所定時間間隔で送信するので、ＤＡＰ２０を継続的に充電させることができる。
【０１１７】
クレードル１が、ＤＡＰ２０からのデジタルオーディオ信号を受信して、ＡＶアンプ４０に出力している状態でない場合（Ｓ５４でＮＯ）、マイコン２は、ＤＡＰ２０にアナログオーディオ信号を出力させ、ＤＡＰ２０からのアナログオーディオ信号をＺＯＮＥ２ルーム再生用にＡＶアンプ４０に供給するように、スイッチを切換える（Ｓ５７）。
【０１１８】
つまり、スイッチＳＷ１に上側（ＵＳＢ端子Ｔ１とスイッチＳＷ３とが接続された状態）を選択させ、スイッチＳＷ２に上側（ＵＳＢ端子Ｔ４とスイッチＳＷ３とが接続された状態）を選択させ、スイッチＳＷ３に下側（スイッチＳＷ２とホストコントローラ３とが接続された状態）を選択させ、スイッチＳＷ４に上側（アナログ音声入力端子Ｔ３とアナログ音声出力端子Ｔ９とが接続された状態）を選択させ、スイッチＳＷ５に上側（制御信号入出力端子Ｔ２とマイコン２とが接続された状態）を選択させる。
【０１１９】
マイコン２は、ＤＡＰ２０に対して、アナログオーディオ信号をクレードル１に出力するように指示する（Ｓ５８）。これに応じて、ＤＡＰ２０は、アナログオーディオ信号をクレードル１に出力する。クレードル１は、アナログ音声入力端子Ｔ３に入力されたアナログオーディオ信号を、スイッチＳＷ４、アナログ音声出力端子Ｔ９を介してＡＶアンプ４０に供給する。ＡＶアンプ４０では、アナログ音声セレクタ４４はクレードル１が接続されたアナログ音声入力端子Ｔ４３を選択する。従って、クレードル１（ＤＡＰ２０）からのアナログオーディオ信号がＺＯＮＥ２ルームで再生される。
【０１２０】
なお、この場合に、マイコン２が通信バス経由でＤＡＰ２０と通信し、ＤＡＰ２０に充電コマンドを所定時間間隔で送信するので、ＤＡＰ２０を継続的に充電させることができる。また、ホストコントローラ３がＵＳＢ経由でＤＡＰ３０と通信し、ＤＡＰ３０に充電コマンドを所定時間間隔で送信するので、ＤＡＰ３０を継続的に充電させることができる。
【０１２１】
以上の処理によって、ＡＶアンプ４０は、メインルームおよびＺＯＮＥ２ルームのそれぞれにおいて、クレードル（ＤＡＰ２０またはＤＡＰ３０）からのオーディオ信号を再生することができる。また、クレードル１は、どのような状態においても、ＤＡＰ２０、３０に充電コマンドを送信し、ＤＡＰ２０、３０を同時に充電させることができる。
【０１２２】
図９は、本発明の別の好ましい実施形態によるクレードル２００を示す概略ブロック図である。クレードル２００は、図２のクレードル１と比較して、ＵＳＢ端子Ｔ７、スイッチＳＷ１、ＳＷ２が省略されている。つまり、スイッチＳＷ３は、ＵＳＢ端子Ｔ１とホストコントローラ３（つまり、デジタル音声出力端子Ｔ８）とを接続させるか、ＵＳＢ端子Ｔ４とホストコントローラ３（つまり、デジタル音声出力端子Ｔ８）とを接続させるかを切換える。
【０１２３】
ここで、スイッチＳＷ３〜ＳＷ５の選択状態について図１０を参照して詳述する。
［（１）メインセレクタのみがクレードルを選択する場合］
スイッチＳＷ３は上側、スイッチＳＷ４は下側、スイッチＳＷ５は下側を選択する。従って、ＤＡＰ２０からのデジタルオーディオ信号がＡＶアンプ４０に出力され、メインルームで再生される。ホストコントローラ３がＤＡＰ２０と通信することで、ＤＡＰ２０を充電させ、マイコン２がＤＡＰ３０と通信することで、ＤＡＰ３０を充電させる。
あるいは、スイッチＳＷ３は下側、スイッチＳＷ４は上側、スイッチＳＷ５は上側を選択する。従って、ＤＡＰ３０からのデジタルオーディオ信号がＡＶアンプ４０に出力され、メインルームで再生される。ホストコントローラ３がＤＡＰ３０と通信することで、ＤＡＰ３０を充電させ、マイコン２がＤＡＰ２０と通信することで、ＤＡＰ２０を充電させる。
【０１２４】
［（２）ＺＯＮＥ２セレクタのみがクレードルを選択する場合］
スイッチＳＷ３は下側、スイッチＳＷ４は上側、スイッチＳＷ５は上側を選択する。従って、ＤＡＰ２０からのアナログオーディオ信号がＡＶアンプ４０に出力され、ＺＯＮＥ２ルームで再生される。マイコン２がＤＡＰ２０と通信することで、ＤＡＰ２０を充電させ、ホストコントローラ３がＤＡＰ３０と通信することで、ＤＡＰ３０を充電させる。
あるいは、スイッチＳＷ３は上側、スイッチＳＷ４は下側、スイッチＳＷ５は下側を選択する。従って、ＤＡＰ３０からのアナログオーディオ信号がＡＶアンプ４０に出力され、ＺＯＮＥ２ルームで再生される。マイコン２がＤＡＰ３０と通信することで、ＤＡＰ３０を充電させ、ホストコントローラ３がＤＡＰ２０と通信することで、ＤＡＰ２０を充電させる。
【０１２５】
［（３）メインセレクタおよびＺＯＮＥ２セレクタがクレードルを選択する場合］
スイッチＳＷ３は上側、スイッチＳＷ４は下側、スイッチＳＷ５は下側を選択する。従って、ＤＡＰ２０からのデジタルオーディオ信号がＡＶアンプ４０に出力され、メインルームで再生される。ＤＡＰ３０からのアナログオーディオ信号がＡＶアンプ４０に出力され、ＺＯＮＥ２ルームで再生される。ホストコントローラ３がＤＡＰ２０と通信することで、ＤＡＰ２０を充電させ、マイコン２がＤＡＰ３０と通信することで、ＤＡＰ３０を充電させる。
あるいは、スイッチＳＷ３は下側、スイッチＳＷ４は上側、スイッチＳＷ５は上側を選択する。従って、ＤＡＰ３０からのデジタルオーディオ信号がＡＶアンプ４０に出力され、メインルームで再生される。ＤＡＰ２０からのアナログオーディオ信号がＡＶアンプ４０に出力され、ＺＯＮＥ２ルームで再生される。ホストコントローラ３がＤＡＰ３０と通信することで、ＤＡＰ３０を充電させ、マイコン２がＤＡＰ２０と通信することで、ＤＡＰ２０を充電させる。
【０１２６】
図１１は、図６のＳ１３の詳細を示すフローチャートである。マイコン２は、クレードル２００が、ＤＡＰ２０又はＤＡＰ３０からのデジタルオーディオ信号を受信して、ＡＶアンプ４０に出力している状態であるか否かを判断する（Ｓ１２１）。詳細には、スイッチＳＷ３が上側を選択し、ＤＡＰ２０がデジタルオーディオ信号を出力している、又は、スイッチＳＷ３が下側を選択し、ＤＡＰ３０がデジタルオーディオ信号を出力しているか否かが判断される。これらの状態は、図示しないメモリで管理されている。ＤＡＰ２０又はＤＡＰ３０からのデジタルオーディオ信号を受信して、ＡＶアンプ４０に出力している状態である場合（Ｓ１２１でＹＥＳ）、スイッチＳＷ３〜ＳＷ５を切換える必要がない。
【０１２７】
ＤＡＰ２０又はＤＡＰ３０からのデジタルオーディオ信号を受信して、ＡＶアンプ４０に出力している状態でない場合（Ｓ１２１でＮＯ）、マイコン２は、クレードル２００が、ＤＡＰ２０からのアナログオーディオ信号を受信して、ＡＶアンプ４０に出力している状態であるか否かを判断する（Ｓ１２８）。詳細には、スイッチＳＷ４が上側を選択し、ＤＡＰ２０がアナログオーディオ信号を出力しているか否かが判断される。これらの状態は、図示しないメモリで管理されている。クレードル２００が、ＤＡＰ２０からのアナログオーディオ信号を受信して、ＡＶアンプ４０に出力している状態である場合（Ｓ１２８でＹＥＳ）、マイコン２は、ＤＡＰ３０にデジタルオーディオ信号を出力させ、ＤＡＰ３０からのデジタルオーディオ信号をメインルーム再生用にＡＶアンプ４０に供給するように、スイッチを切換える（Ｓ１２９）。
【０１２８】
つまり、スイッチＳＷ３に下側（ＵＳＢ端子Ｔ４とホストコントローラ３とが接続された状態）を選択させ、スイッチＳＷ４に上側（アナログ音声入力端子Ｔ３とアナログ音声出力端子Ｔ９とが接続された状態）を選択させ、スイッチＳＷ５に上側（制御信号入出力端子Ｔ２とマイコン２とが接続された状態）を選択させる。
【０１２９】
マイコン２は、ＤＡＰ３０に対して、デジタルオーディオ信号をクレードル２００に出力するように指示する（Ｓ１３０）。これに応じて、ＤＡＰ３０は、デジタルオーディオ信号をＵＳＢ経由でクレードル２００に出力する。クレードル２００は、ＵＳＢ端子Ｔ４に入力されたデジタルオーディオ信号を、スイッチＳＷ３、ホストコントローラ３、デジタル音声出力端子Ｔ８を介してＡＶアンプ４０に供給する。ＡＶアンプ４０では、デジタル音声セレクタ４２はクレードル２００が接続されたデジタル音声入力端子Ｔ４１を選択し、ＤＳＰ４６はデジタル音声セレクタ４２を選択する。従って、クレードル２００（ＤＡＰ３０）からのデジタル音声信号がメインルームで再生される。
【０１３０】
なお、この場合に、ホストコントローラ３がＵＳＢ経由でＤＡＰ３０と通信し、ＤＡＰ３０に充電コマンドを所定時間間隔で送信するので、ＤＡＰ３０を継続的に充電させることができる。また、マイコン２が通信バス経由でＤＡＰ２０と通信し、ＤＡＰ２０に充電コマンドを所定時間間隔で送信するので、ＤＡＰ２０を継続的に充電させることができる。
【０１３１】
クレードル２００が、ＤＡＰ２０からのアナログオーディオ信号を受信して、ＡＶアンプ４０に出力している状態でない場合（Ｓ１２８でＮＯ）、マイコン２は、ＤＡＰ２０にデジタルオーディオ信号を出力させ、ＤＡＰ２０からのデジタルオーディオ信号をメインルーム再生用にＡＶアンプ４０に供給するように（なお、ＤＡＰ３０にアナログオーディオ信号を出力させ、ＤＡＰ３０からのアナログオーディオ信号をＺＯＮＥ２ルーム再生用にＡＶアンプ４０に供給するように）、スイッチを切換える（Ｓ１３１）。
【０１３２】
つまり、スイッチＳＷ３に上側（ＵＳＢ端子Ｔ１とホストコントローラ３とが接続された状態）を選択させ、スイッチＳＷ４に下側（アナログ音声入力端子Ｔ６とアナログ音声出力端子Ｔ９とが接続された状態）を選択させ、スイッチＳＷ５に下側（制御信号入出力端子Ｔ５とマイコン２とが接続された状態）を選択させる。
【０１３３】
マイコン２は、ＤＡＰ２０に対して、デジタルオーディオ信号をクレードル２００に出力するように指示する（Ｓ１３２）。これに応じて、ＤＡＰ２０は、デジタルオーディオ信号をＵＳＢ経由でクレードル２００に出力する。クレードル２００は、ＵＳＢ端子Ｔ１に入力されたデジタルオーディオ信号を、スイッチＳＷ３、ホストコントローラ３、デジタル音声出力端子Ｔ８を介してＡＶアンプ４０に供給する。ＡＶアンプ４０では、デジタル音声セレクタ４２はクレードル２００が接続されたデジタル音声入力端子Ｔ４１を選択し、ＤＳＰ４６はデジタル音声セレクタ４２を選択する。従って、クレードル２００（ＤＡＰ２０）からのデジタル音声信号がメインルームで再生される。
【０１３４】
なお、この場合に、ホストコントローラ３がＵＳＢ経由でＤＡＰ２０と通信し、ＤＡＰ２０に充電コマンドを所定時間間隔で送信するので、ＤＡＰ２０を継続的に充電させることができる。また、マイコン２が通信バス経由でＤＡＰ３０と通信し、ＤＡＰ３０に充電コマンドを所定時間間隔で送信するので、ＤＡＰ３０を継続的に充電させることができる。
【０１３５】
図１２は、図６のＳ１５の詳細を示すフローチャートである。マイコン２は、クレードル２００が、ＤＡＰ２０又はＤＡＰ３０からのアナログオーディオ信号を受信して、ＡＶアンプ４０に出力している状態であるか否かを判断する（Ｓ１４１）。詳細には、スイッチＳＷ４が上側を選択し、ＤＡＰ２０がアナログオーディオ信号を出力している、又は、スイッチＳＷ４が下側を選択し、ＤＡＰ３０がアナログオーディオ信号を出力しているか否かが判断される。これらの状態は、図示しないメモリで管理されている。ＤＡＰ２０又はＤＡＰ３０からのアナログオーディオ信号を受信して、ＡＶアンプ４０に出力している状態である場合（Ｓ１４１でＹＥＳ）、スイッチＳＷ３〜ＳＷ５を切換える必要がない。
【０１３６】
クレードル２００が、ＤＡＰ２０又はＤＡＰ３０からのアナログオーディオ信号を受信して、ＡＶアンプ４０に出力している状態でない場合（Ｓ１４１でＮＯ）、マイコン２は、クレードル２００が、ＤＡＰ２０からのデジタルオーディオ信号を受信して、ＡＶアンプ４０に出力している状態であるか否かを判断する（Ｓ１５４）。詳細には、スイッチＳＷ３が上側を選択し、ＤＡＰ２０がデジタルオーディオ信号を出力しているか否かが判断される。これらの状態は、図示しないメモリで管理されている。
【０１３７】
クレードル２００が、ＤＡＰ２０からのデジタルオーディオ信号を受信して、ＡＶアンプ４０に出力している状態である場合（Ｓ１５４でＹＥＳ）、マイコン２は、ＤＡＰ３０にアナログオーディオ信号を出力させ、ＤＡＰ３０からのアナログオーディオ信号をＺＯＮＥ２ルーム再生用にＡＶアンプ４０に供給するように、スイッチを切換える（Ｓ１５５）。
【０１３８】
つまり、スイッチＳＷ３に上側（ＵＳＢ端子Ｔ１とホストコントローラ３とが接続された状態）を選択させ、スイッチＳＷ４に下側（アナログ音声入力端子Ｔ６とアナログ音声出力端子Ｔ９とが接続された状態）を選択させ、スイッチＳＷ５に下側（制御信号入出力端子Ｔ５とマイコン２とが接続された状態）を選択させる。
【０１３９】
マイコン２は、ＤＡＰ３０に対して、アナログオーディオ信号をクレードル２００に出力するように指示する（Ｓ１５６）。これに応じて、ＤＡＰ３０は、アナログオーディオ信号をクレードル２００に出力する。クレードル２００は、アナログ音声入力端子Ｔ６に入力されたアナログオーディオ信号を、スイッチＳＷ４、アナログ音声出力端子Ｔ９を介してＡＶアンプ４０に供給する。ＡＶアンプ４０では、アナログ音声セレクタ４４はクレードル２００が接続されたアナログ音声入力端子Ｔ４３を選択する。従って、クレードル２００（ＤＡＰ３０）からのアナログオーディオ信号がＺＯＮＥ２ルームで再生される。
【０１４０】
なお、この場合に、マイコン２が通信バス経由でＤＡＰ３０と通信し、ＤＡＰ３０に充電コマンドを所定時間間隔で送信するので、ＤＡＰ３０を継続的に充電させることができる。また、ホストコントローラ３がＵＳＢ経由でＤＡＰ２０と通信し、ＤＡＰ２０に充電コマンドを所定時間間隔で送信するので、ＤＡＰ２０を継続的に充電させることができる。
【０１４１】
クレードル２００が、ＤＡＰ２０からのデジタルオーディオ信号を受信して、ＡＶアンプ４０に出力している状態でない場合（Ｓ１５４でＮＯ）、マイコン２は、ＤＡＰ２０にアナログオーディオ信号を出力させ、ＤＡＰ２０からのアナログオーディオ信号をＺＯＮＥ２ルーム再生用にＡＶアンプ４０に供給するように、スイッチを切換える（Ｓ１５７）。
【０１４２】
つまり、スイッチＳＷ３に下側（ＵＳＢ端子Ｔ４とホストコントローラ３とが接続された状態）を選択させ、スイッチＳＷ４に上側（アナログ音声入力端子Ｔ３とアナログ音声出力端子Ｔ９とが接続された状態）を選択させ、スイッチＳＷ５に上側（制御信号入出力端子Ｔ２とマイコン２とが接続された状態）を選択させる。
【０１４３】
マイコン２は、ＤＡＰ２０に対して、アナログオーディオ信号をクレードル２００に出力するように指示する（Ｓ１５８）。これに応じて、ＤＡＰ２０は、アナログオーディオ信号をクレードル２００に出力する。クレードル２００は、アナログ音声入力端子Ｔ３に入力されたアナログオーディオ信号を、スイッチＳＷ４、アナログ音声出力端子Ｔ９を介してＡＶアンプ４０に供給する。ＡＶアンプ４０では、アナログ音声セレクタ４４はクレードル２００が接続されたアナログ音声入力端子Ｔ４３を選択する。従って、クレードル２００（ＤＡＰ２０）からのアナログオーディオ信号がＺＯＮＥ２ルームで再生される。
【０１４４】
なお、この場合に、マイコン２が通信バス経由でＤＡＰ２０と通信し、ＤＡＰ２０に充電コマンドを所定時間間隔で送信するので、ＤＡＰ２０を継続的に充電させることができる。また、ホストコントローラ３がＵＳＢ経由でＤＡＰ３０と通信し、ＤＡＰ３０に充電コマンドを所定時間間隔で送信するので、ＤＡＰ３０を継続的に充電させることができる。
【０１４５】
以上、本発明の好ましい実施形態を説明したが、本発明はこれらの実施形態には限定されない。本発明は、上記のクレードルやＡＶアンプの動作をコンピュータに実行させるためのコンピュータプログラムという形態で提供することもできる。携帯型コンテンツ再生装置は、携帯電話、ポータブルカーナビ、ポータブルＴＶ、ポータブルＣＤプレーヤ、携帯ゲーム機等でもよい。
【産業上の利用可能性】
【０１４６】
本発明は、携帯型コンテンツ再生装置のクレードルおよびＡＶアンプに好適に採用され得る。
【符号の説明】
【０１４７】
１              クレードル
２              マイコン
３              ホストコントローラ
４              電源部
ＳＷ１          スイッチ（第１スイッチ）
ＳＷ２          スイッチ（第２スイッチ）
ＳＷ３          スイッチ（第３スイッチ）
ＳＷ４          スイッチ（第４スイッチ）
ＳＷ５          スイッチ（第５スイッチ）
Ｔ１            ＵＳＢ端子
Ｔ２            制御信号入出力端子
Ｔ３            アナログ音声入力端子
Ｔ４            ＵＳＢ端子
Ｔ５            制御信号入出力端子
Ｔ６            アナログ音声入力端子
Ｔ７            ＵＳＢ端子
Ｔ８            デジタル音声出力端子
Ｔ９            アナログ音声出力端子
Ｔ１０          制御信号入出力端子
２０            ＤＡＰ（コンテンツ再生装置）
３０            ＤＡＰ（コンテンツ再生装置）
４０            ＡＶアンプ（増幅装置）
４１            マイコン
４２            デジタル音声セレクタ
４３            アナログ音声セレクタ
４４            アナログ音声セレクタ
４５            Ａ／Ｄコンバータ
４６            ＤＳＰ
４７            Ｄ／Ａコンバータ
４８            増幅部
５０            増幅部
Ｔ４１          デジタル音声入力端子
Ｔ４２          デジタル音声入力端子
Ｔ４３          アナログ音声入力端子
Ｔ４４          アナログ音声入力端子
Ｔ４５          制御信号入出力端子
６０            ＰＣ（コンピュータ）
【図１】
2012084199.tif 000003
【図２】
2012084199.tif 000004
【図３】
2012084199.tif 000005
【図４】
2012084199.tif 000006
【図５】
2012084199.tif 000007
【図６】
2012084199.tif 000008
【図７】
2012084199.tif 000009
【図８】
2012084199.tif 000010
【図９】
2012084199.tif 000011
【図１０】
2012084199.tif 000012
【図１１】
2012084199.tif 000013
【図１２】
2012084199.tif 000014